(57)【特許請求の範囲】
【請求項１】
基地局における通信の方法であって、
前記基地局に関連するアンテナの第１のサブセットを使用して、時間期間中に共有無線周波数スペクトル帯域へのアクセスのための第１のアクセスプロシージャを実行することと、
アンテナの前記第１のサブセットとは異なる前記基地局に関連するアンテナの第２のサブセットを使用して、前記時間期間中に前記共有無線周波数スペクトル帯域へのアクセスのための第２のアクセスプロシージャを実行することと、
前記第１のアクセスプロシージャを実行することに少なくとも部分的に基づいて、アンテナの前記第１のサブセットが前記共有無線周波数スペクトル帯域にアクセスすることができることを識別することと、
アンテナの前記第１のサブセットを使用して前記共有無線周波数スペクトル帯域にアクセスすることと、
を備え、アンテナの前記第１のサブセットが、アンテナの前記第２のサブセットの前記アンテナの各々とは異なる地理的ロケーションを有するアンテナを備える、方法。
【請求項２】
前記第１のアクセスプロシージャおよび前記第２のアクセスプロシージャが各々、それぞれアンテナの前記第１のサブセットおよびアンテナの前記第２のサブセットに関連する１つまたは複数のアンテナを使用するクリアチャネルアセスメント（ＣＣＡ）を備える、請求項１に記載の方法。
【請求項３】
アンテナの前記第１のサブセットを使用して前記共有無線周波数スペクトル帯域に前記アクセスすることが、アンテナの前記第１のサブセットを使用して、成功したアクセスプロシージャを示すプリアンブルを送信することを備える、請求項１に記載の方法。
【請求項４】
前記プリアンブルが、論理アンテナポートに関連する共通パイロット信号を備え、ここにおいて、前記論理アンテナポートが、アンテナの前記第１のサブセットからの少なくとも１つのアンテナと、アンテナの前記第２のサブセットからの少なくとも１つのアンテナとに関連する、請求項３に記載の方法。
【請求項５】
前記共通パイロット信号が、アンテナの前記第１のサブセットからの前記少なくとも１つのアンテナから送信され、前記共通パイロット信号が、アンテナの前記第２のサブセットからの前記少なくとも１つのアンテナから送信されない、請求項４に記載の方法。
【請求項６】
前記プリアンブルは、どのアンテナが前記共通パイロット信号を送信しているかを示す識別子をさらに備える、請求項４に記載の方法。
【請求項７】
前記プリアンブルが、１つまたは複数のアンテナ固有パイロット信号を備え、各々が、アンテナの前記第１のサブセットの１つまたは複数のアンテナに関連する、請求項３に記載の方法。
【請求項８】
前記プリアンブルが、受信機に関連する１つまたは複数の専用パイロット信号を備える、請求項３に記載の方法。
【請求項９】
前記１つまたは複数の専用パイロット信号の各々が、論理アンテナポートを使用して送信され、アンテナの前記第１のサブセットに関連する１つまたは複数の物理アンテナが、プリコーディングを使用して示される、請求項８に記載の方法。
【請求項１０】
前記第２のアクセスプロシージャを実行することに少なくとも部分的に基づいて、アンテナの前記第２のサブセットが前記時間期間中に前記共有無線周波数スペクトル帯域にアクセスすることができることを識別することと、
アンテナの前記第１のサブセットとアンテナの前記第２のサブセットとを使用して前記共有無線周波数スペクトル帯域にアクセスすることと、
をさらに備える、請求項１に記載の方法。
【請求項１１】
アンテナの前記第１のサブセットとアンテナの前記第２のサブセットとを使用して前記共有無線周波数スペクトル帯域に前記アクセスすることが、
アンテナの前記第１のサブセットとアンテナの前記第２のサブセットとを使用して、成功したアクセスプロシージャを示すプリアンブルを送信することを備え、ここで、前記送信することが、アンテナの前記第１のサブセットとアンテナの前記第２のサブセットとの間で前記プリアンブルを周波数分割多重化する（ＦＤＭ）ことを備える、
請求項１０に記載の方法。
【請求項１２】
アンテナの前記第１のサブセットとアンテナの前記第２のサブセットとを使用して前記共有無線周波数スペクトル帯域に前記アクセスすることが、
アンテナの前記第１のサブセットとアンテナの前記第２のサブセットとを使用して、成功したアクセスプロシージャを示すプリアンブルを送信することを備え、ここで、前記プリアンブルが複数のプリアンブルシンボルを備え、前記送信することが、前記複数のプリアンブルシンボルの第１の部分についてアンテナの前記第１のサブセットおよびアンテナの前記第２のサブセットからの異なるプリアンブルシンボルを送信することと、前記複数のプリアンブルシンボルの第２の部分についてアンテナの前記第１のサブセットおよびアンテナの前記第２のサブセットからの同じプリアンブルシンボルを送信することとを備える、
請求項１０に記載の方法。
【請求項１３】
アンテナの前記第１のサブセットが前記共有無線周波数スペクトル帯域にアクセスした後、アンテナの前記第２のサブセットが前記共有無線周波数スペクトル帯域にアクセスすることができることを識別することと、
アンテナの前記第２のサブセットを使用して前記共有無線周波数スペクトル帯域にアクセスすることと、
をさらに備える、請求項１に記載の方法。
【請求項１４】
アンテナの前記第２のサブセットが前記共有無線周波数スペクトル帯域にアクセスすることができることを識別することが、
アンテナの前記第２のサブセットを使用して前記共有無線周波数スペクトル帯域へのアクセスのための前記第２のアクセスプロシージャを実行することを備え、ここで、前記第２のアクセスプロシージャが、アンテナの前記第１のサブセットの送信を取り消すことを含む、
請求項１３に記載の方法。
【請求項１５】
アンテナの前記第２のサブセットが前記第２のアクセスプロシージャを使用してチャネルアクセスを獲得することになる可能性を増加させるために、アンテナの前記第１のサブセットにおいてダウンリンク電力制御を協調させること、
をさらに備える、請求項１４に記載の方法。
【請求項１６】
アンテナの前記第２のサブセットを使用して前記共有無線周波数スペクトル帯域に前記アクセスすることが、
アンテナの前記第１のサブセットがプリアンブルシーケンスを送信していると決定すること、を備え、
前記方法が、アンテナの前記第２のサブセットによって前記プリアンブルシーケンスを前記送信することに加わることをさらに備える、
請求項１３に記載の方法。
【請求項１７】
アンテナの前記第１のサブセットとアンテナの前記第２のサブセットの１つまたは複数のアンテナとを使用して同期アクセスプロシージャを実行すること
をさらに備える、請求項１３に記載の方法。
【請求項１８】
アンテナの前記第１のサブセットとアンテナの前記第２のサブセットの１つまたは複数のアンテナとを使用して非同期アクセスプロシージャを実行すること
をさらに備える、請求項１３に記載の方法。
【請求項１９】
基地局における通信のための装置であって、
前記基地局に関連するアンテナの第１のサブセットを使用して、時間期間中に共有無線周波数スペクトル帯域へのアクセスのための第１のアクセスプロシージャを実行するための手段と、
アンテナの前記第１のサブセットとは異なる前記基地局に関連するアンテナの第２のサブセットを使用して、前記時間期間中に前記共有無線周波数スペクトル帯域へのアクセスのための第２のアクセスプロシージャを実行するための手段と、
前記第１のアクセスプロシージャを実行することに少なくとも部分的に基づいて、アンテナの前記第１のサブセットが前記共有無線周波数スペクトル帯域にアクセスすることができることを識別するための手段と、
アンテナの前記第１のサブセットを使用して前記共有無線周波数スペクトル帯域にアクセスするための手段と、
を備え、アンテナの前記第１のサブセットが、アンテナの前記第２のサブセットの前記アンテナの各々とは異なる地理的ロケーションを有するアンテナを備える、装置。
【請求項２０】
前記第１のアクセスプロシージャおよび前記第２のアクセスプロシージャが各々、それぞれアンテナの前記第１のサブセットおよびアンテナの前記第２のサブセットに関連する１つまたは複数のアンテナを使用するクリアチャネルアセスメント（ＣＣＡ）を備える、請求項１９に記載の装置。
【請求項２１】
アンテナの前記第１のサブセットを使用して前記共有無線周波数スペクトル帯域にアクセスするための前記手段が、アンテナの前記第１のサブセットを使用して、成功したアクセスプロシージャを示すプリアンブルを送信するための手段を備える、請求項１９に記載の装置。
【請求項２２】
前記プリアンブルが、論理アンテナポートに関連する共通パイロット信号を備え、前記論理アンテナポートが、アンテナの前記第１のサブセットからの少なくとも１つのアンテナと、アンテナの前記第２のサブセットからの少なくとも１つのアンテナとに関連する、請求項２１に記載の装置。
【請求項２３】
前記共通パイロット信号が、アンテナの前記第１のサブセットからの前記少なくとも１つのアンテナから送信され、前記共通パイロット信号が、アンテナの前記第２のサブセットからの前記少なくとも１つのアンテナから送信されない、請求項２２に記載の装置。
【請求項２４】
前記プリアンブルが、１つまたは複数のアンテナ固有パイロット信号を備え、ここで、各々が、アンテナの前記第１のサブセットの１つまたは複数のアンテナに関連する、請求項２１に記載の装置。
【請求項２５】
前記プリアンブルが、受信機に関連する１つまたは複数の専用パイロット信号を備える、請求項２１に記載の装置。
【請求項２６】
前記１つまたは複数の専用パイロット信号の各々が、論理アンテナポートを使用して送信され、アンテナの前記第１のサブセットに関連する１つまたは複数の物理アンテナが、プリコーディングを使用して示される、請求項２５に記載の装置。
【請求項２７】
前記第２のアクセスプロシージャを実行することに少なくとも部分的に基づいて、アンテナの前記第２のサブセットが前記時間期間中に前記共有無線周波数スペクトル帯域にアクセスすることができることを識別するための手段と、
アンテナの前記第１のサブセットとアンテナの前記第２のサブセットとを使用して前記共有無線周波数スペクトル帯域にアクセスするための手段と、
をさらに備える、請求項１９に記載の装置。
【請求項２８】
アンテナの前記第１のサブセットとアンテナの前記第２のサブセットとを使用して前記共有無線周波数スペクトル帯域にアクセスするための前記手段が、
アンテナの前記第１のサブセットとアンテナの前記第２のサブセットとを使用して、成功したアクセスプロシージャを示すプリアンブルを送信するための手段
を備え、前記送信することが、アンテナの前記第１のサブセットとアンテナの前記第２のサブセットとの間で前記プリアンブルを周波数分割多重化する（ＦＤＭ）ことを備える、
請求項２７に記載の装置。
【請求項２９】
アンテナの前記第１のサブセットとアンテナの前記第２のサブセットとを使用して前記共有無線周波数スペクトル帯域にアクセスするための前記手段が、
アンテナの前記第１のサブセットとアンテナの前記第２のサブセットとを使用して、成功したアクセスプロシージャを示すプリアンブルを送信するための手段を備え、前記プリアンブルが、複数のプリアンブルシンボルを備え、前記送信することが、前記複数のプリアンブルシンボルの第１の部分についてアンテナの前記第１のサブセットおよびアンテナの前記第２のサブセットからの異なるプリアンブルシンボルを送信することと、前記複数のプリアンブルシンボルの第２の部分についてアンテナの前記第１のサブセットおよびアンテナの前記第２のサブセットからの同じプリアンブルシンボルを送信することとを備える、
請求項２７に記載の装置。
【請求項３０】
アンテナの前記第１のサブセットが前記共有無線周波数スペクトル帯域にアクセスした後、アンテナの前記第２のサブセットが前記共有無線周波数スペクトル帯域にアクセスすることができることを識別するための手段と、
アンテナの前記第２のサブセットを使用して前記共有無線周波数スペクトル帯域にアクセスするための手段と
をさらに備える、請求項１９に記載の装置。
【請求項３１】
アンテナの前記第２のサブセットが前記共有無線周波数スペクトル帯域にアクセスすることができることを識別するための前記手段が、
アンテナの前記第２のサブセットを使用して前記共有無線周波数スペクトル帯域へのアクセスのための前記第２のアクセスプロシージャを実行するための手段を備え、前記第２のアクセスプロシージャが、アンテナの前記第１のサブセットの送信を取り消すことを含む、
請求項３０に記載の装置。
【請求項３２】
アンテナの前記第２のサブセットを使用して前記共有無線周波数スペクトル帯域にアクセスするための前記手段が、
アンテナの前記第１のサブセットがプリアンブルシーケンスを送信していると決定するための手段を備え、
前記装置が、アンテナの前記第２のサブセットによって前記プリアンブルシーケンスを前記送信することに加わるための手段をさらに備える、
請求項３０に記載の装置。
【請求項３３】
アンテナの前記第１のサブセットとアンテナの前記第２のサブセットの１つまたは複数のアンテナとを使用して同期アクセスプロシージャを実行するための手段
をさらに備える、請求項３０に記載の装置。
【請求項３４】
アンテナの前記第１のサブセットとアンテナの前記第２のサブセットの１つまたは複数のアンテナとを使用して非同期アクセスプロシージャを実行するための手段
をさらに備える、請求項３０に記載の装置。
【請求項３５】
基地局における通信のための装置であって、
プロセッサと、
前記プロセッサと電子通信しているメモリと、
前記メモリに記憶された命令と
を備え、ここにおいて、前記命令が、前記装置に、
前記基地局に関連するアンテナの第１のサブセットを使用して、時間期間中に共有無線周波数スペクトル帯域へのアクセスのための第１のアクセスプロシージャを実行することと、
アンテナの前記第１のサブセットとは異なる前記基地局に関連するアンテナの第２のサブセットを使用して、前記時間期間中に前記共有無線周波数スペクトル帯域へのアクセスのための第２のアクセスプロシージャを実行することと、
前記第１のアクセスプロシージャを実行することに少なくとも部分的に基づいて、アンテナの前記第１のサブセットが前記共有無線周波数スペクトル帯域にアクセスすることができることを識別することと、
アンテナの前記第１のサブセットを使用して前記共有無線周波数スペクトル帯域にアクセスすることと、
を行わせるために前記プロセッサによって実行可能であり、アンテナの前記第１のサブセットが、アンテナの前記第２のサブセットの前記アンテナの各々とは異なる地理的ロケーションを有するアンテナを備える、
装置。
【発明の詳細な説明】
【技術分野】
【０００１】
相互参照
[0001]本特許出願は、各々が本出願の譲受人に譲渡された、２０１５年１２月１７日に出願された、「Antenna Subset and Directional Channel Access in a Shared Radio Frequency Spectrum Band」と題する、Ｙｏｏらによる米国特許出願第１４／９７２，３４４号、および２０１４年１２月３１日に出願された、「Per Antenna and Directional Channel Access in a Shared Radio Frequency Spectrum Band」と題する、Ｙｏｏらによる米国仮特許出願第６２／０９８，５９１号の優先権を主張する。
【０００２】
[0002]本開示は、ワイヤレス通信システムに関し、より詳細には、たとえば、共有無線周波数スペクトル帯域におけるアンテナサブセットおよび指向性アンテナチャネルアクセスに関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、ワイヤレス多元接続通信システムは、各デバイスがユーザ機器（ＵＥ）と呼ばれることがある、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかの通信モードは、セルラーネットワークの共有無線周波数スペクトル帯域上での、または異なる無線周波数スペクトル帯域（たとえば、専用無線周波数スペクトル帯域および共有無線周波数スペクトル帯域）上での基地局とＵＥとの間の通信を可能にし得る。専用（たとえば、認可）無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者に拡張データ送信容量のための機会を与え得る。共有無線周波数スペクトル帯域はまた、専用無線周波数スペクトル帯域へのアクセスが利用不可能であるエリア中でサービスを与え得る。
【０００６】
[0006]共有無線周波数スペクトル帯域へのアクセスを獲得し、共有無線周波数スペクトル帯域上で通信するより前に、基地局またはＵＥは、共有無線周波数スペクトル帯域へのアクセスを求めて競合するために、リッスンビフォアトーク（ＬＢＴ：listen before talk）プロシージャを実行し得る。ＬＢＴプロシージャは、共有無線周波数スペクトル帯域のチャネルが利用可能であるかどうかを決定するために、クリアチャネルアセスメント（ＣＣＡ：clear channel assessment）プロシージャを実行することを含み得る。共有無線周波数スペクトル帯域のチャネルが利用可能であると決定されたとき、基地局またはＵＥは、チャネルを予約するために、チャネルを介して１つまたは複数のチャネル予約信号（たとえば、１つまたは複数のチャネル使用ビーコン信号（ＣＵＢＳ：channel usage beacon signal）など、パイロットシーケンス）を送信し得る。（１つまたは複数の）チャネル予約信号は、データ送信または制御送信がチャネル上でそのときに行われ得る次のサブフレーム境界まで、チャネルを介して送信され得る。
【発明の概要】
【０００７】
[0007]本開示は、一般にワイヤレス通信システムに関し、より詳細には、共有無線周波数スペクトル帯域にアクセスするためのアクセスプロシージャをパスするワイヤレス通信デバイスに関連するアンテナのサブセットを送信のために選択し、アクセスプロシージャをパスしない他のアンテナを選択しないことによって、共有無線周波数スペクトル帯域にアクセスするための改善されたシステム、方法、または装置に関し得る。いくつかの例では、基地局またはネットワークノードなど、ワイヤレス通信デバイスは、ワイヤレス通信デバイスにとって利用可能なアンテナの２つまたはそれ以上のサブセットの各々のためにリッスンビフォアトーク（ＬＢＴ）プロシージャを実行し得、ＬＢＴプロシージャをパスするアンテナのサブセットが、関連する時間期間中に送信のために選択され得、他のアンテナは、関連する時間期間中にアイドルのままであるかまたは異なる無線周波数スペクトル帯域における通信のために使用され得る。いくつかの例では、ワイヤレス通信デバイスのアンテナは、共有無線周波数スペクトル帯域へのアクセスを与え得る１つまたは複数の異なる空間的方向を決定するために、関連するアンテナのビームフォーミング能力を利用するアクセスプロシージャを実行し得る。
【０００８】
[0008]ワイヤレス通信デバイスにおける通信の方法が説明される。本方法は、基地局のアンテナの第１のサブセットを使用して、時間期間中に共有無線周波数スペクトル帯域へのアクセスのための第１のアクセスプロシージャを実行することと、第１のサブセットとは異なる基地局のアンテナの第２のサブセットを使用して、時間期間中に共有無線周波数スペクトル帯域へのアクセスのための第２のアクセスプロシージャを実行することと、第１のアクセスプロシージャを実行することに少なくとも部分的に基づいて、アンテナの第１のサブセットが共有無線周波数スペクトル帯域にアクセスすることができることを識別することと、アンテナの第１のサブセットを使用して共有無線周波数スペクトル帯域にアクセスすることとを含み得る。本方法は、基地局に関して本明細書で説明されるが、様々な例では、本方法は、共有無線周波数スペクトル帯域にアクセスするための複数のアンテナを有する基地局、ＵＥ、または他のネットワークノードのうちのいずれかによって実行され得る。
【０００９】
[0009]ワイヤレス通信デバイスにおける通信のための装置が説明される。本装置は、基地局のアンテナの第１のサブセットを使用して、時間期間中に共有無線周波数スペクトル帯域へのアクセスのための第１のアクセスプロシージャを実行するための手段と、第１のサブセットとは異なる基地局のアンテナの第２のサブセットを使用して、時間期間中に共有無線周波数スペクトル帯域へのアクセスのための第２のアクセスプロシージャを実行するための手段と、第１のアクセスプロシージャを実行することに少なくとも部分的に基づいて、アンテナの第１のサブセットが共有無線周波数スペクトル帯域にアクセスすることができることを識別するための手段と、アンテナの第１のサブセットを使用して共有無線周波数スペクトル帯域にアクセスするための手段とを含み得る。本装置は、基地局に関して本明細書で説明されるが、様々な例では、本装置は、共有無線周波数スペクトル帯域にアクセスするための複数のアンテナを有する基地局、ＵＥ、または他のネットワークノードのうちのいずれかの全部または一部を形成し得る。
【００１０】
[0010]ワイヤレス通信デバイスにおける通信のための別の装置が説明される。本装置は、プロセッサと、プロセッサと電子通信しているメモリと、メモリに記憶された命令とを含み得る。命令は、基地局のアンテナの第１のサブセットを使用して、時間期間中に共有無線周波数スペクトル帯域へのアクセスのための第１のアクセスプロシージャを実行することと、第１のサブセットとは異なる基地局のアンテナの第２のサブセットを使用して、時間期間中に共有無線周波数スペクトル帯域へのアクセスのための第２のアクセスプロシージャを実行することと、第１のアクセスプロシージャを実行することに少なくとも部分的に基づいて、アンテナの第１のサブセットが共有無線周波数スペクトル帯域にアクセスすることができることを識別することと、アンテナの第１のサブセットを使用して共有無線周波数スペクトル帯域にアクセスすることとを本装置に行わせるためにプロセッサによって実行可能であり得る。装置が、基地局に関して本明細書で説明されるが、様々な例では、命令は、共有無線周波数スペクトル帯域にアクセスするために説明されるステップを完了することを、複数のアンテナを有する基地局、ＵＥ、または他のネットワークノードのうちのいずれかに行わせ得る。
【００１１】
[0011]ワイヤレス通信デバイスにおける通信のためのコードを記憶する非一時的コンピュータ可読媒体が説明される。コードは、基地局のアンテナの第１のサブセットを使用して、時間期間中に共有無線周波数スペクトル帯域へのアクセスのための第１のアクセスプロシージャを実行することと、第１のサブセットとは異なる基地局のアンテナの第２のサブセットを使用して、時間期間中に共有無線周波数スペクトル帯域へのアクセスのための第２のアクセスプロシージャを実行することと、第１のアクセスプロシージャを実行することに少なくとも部分的に基づいて、アンテナの第１のサブセットが共有無線周波数スペクトル帯域にアクセスすることができることを識別することと、アンテナの第１のサブセットを使用して共有無線周波数スペクトル帯域にアクセスすることとを行うために実行可能な命令を含み得る。コードは、基地局に関して本明細書で説明されるが、様々な例では、コードは、共有無線周波数スペクトル帯域にアクセスするための複数のアンテナを有する基地局、ＵＥ、または他のネットワークノードのうちのいずれかにおいて説明されるステップを実行するために実行可能であり得る。
【００１２】
[0012]上記で説明された方法、装置、または非一時的コンピュータ可読媒体のいくつかの例では、第１および第２のアクセスプロシージャは各々、それぞれアンテナの第１のサブセットおよびアンテナの第２のサブセットに関連する１つまたは複数のアンテナを使用するクリアチャネルアセスメント（ＣＣＡ）を含み得る。追加または代替として、いくつかの例では、アンテナの第１および第２のサブセットは各々、ワイヤレス通信デバイスの１つまたは複数の他のアンテナとは異なる地理的ロケーションを有する１つまたは複数のアンテナを含み得る。
【００１３】
[0013]上記で説明された方法、装置、または非一時的コンピュータ可読媒体のいくつかの例では、アンテナの第１のサブセットを使用して共有無線周波数スペクトル帯域にアクセスすることは、アンテナの第１のサブセットを使用して、成功したアクセスプロシージャを示すプリアンブルを送信するためのステップ、特徴、手段、または命令を含み得る。追加または代替として、いくつかの例では、プリアンブルは、論理アンテナポートに関連する共通パイロット信号を含み得、論理アンテナポートは、ワイヤレス通信デバイスの２つまたはそれ以上のアンテナに関連し得る。いくつかの例では、論理アンテナポートは、アンテナの第１のサブセットからの少なくとも１つのアンテナと、アンテナの第２のサブセットからの少なくとも１つのアンテナとに関連し得る。
【００１４】
[0014]上記で説明された方法、装置、または非一時的コンピュータ可読媒体のいくつかの例は、論理アンテナポートに関連するアンテナのすべてよりも少ないアンテナからの共通パイロット信号を送信するためのステップ、特徴、手段、または命令を含み得る。たとえば、共通パイロット信号は、アンテナの第１のサブセットから送信されるが、アンテナの第２のサブセットから送信されないことがある。追加または代替として、いくつかの例では、プリアンブルは、どのアンテナが共通パイロット信号を送信しているかを示す識別子を含み得る。
【００１５】
[0015]上記で説明された方法、装置、または非一時的コンピュータ可読媒体のいくつかの例では、プリアンブルは、１つまたは複数のアンテナ固有パイロット信号を含み得、各々は、アンテナの第１のサブセットの１つまたは複数のアンテナに関連する。追加または代替として、いくつかの例では、プリアンブルは、受信機に関連する１つまたは複数の専用パイロット信号を含み得る。
【００１６】
[0016]上記で説明された方法、装置、または非一時的コンピュータ可読媒体のいくつかの例は、論理アンテナポートを使用して専用パイロット信号の各々を送信するためのステップ、特徴、手段、または命令を含み得、アンテナの第１のサブセットに関連する１つまたは複数の物理アンテナは、プリコーディングを使用して示され得る。追加または代替として、いくつかの例は、第２のアクセスプロシージャを実行することに少なくとも部分的に基づいて、アンテナのセットの第２のサブセットが期間中に共有無線周波数スペクトル帯域にアクセスすることができることを識別することと、アンテナの第１および第２のサブセットを使用して共有無線周波数スペクトル帯域にアクセスすることとを行うためのステップ、特徴、手段、または命令を含み得る。
【００１７】
[0017]上記で説明された方法、装置、または非一時的コンピュータ可読媒体のいくつかの例では、アンテナの第１および第２のサブセットを使用して共有無線周波数スペクトル帯域にアクセスすることは、アンテナの第１のサブセットとアンテナの第２のサブセットとを使用して、成功したアクセスプロシージャを示すプリアンブルを送信するためのステップ、特徴、手段、または命令を含み得、送信することは、アンテナの第１のサブセットとアンテナの第２のサブセットとの間でプリアンブルを周波数分割多重化する（ＦＤＭ）ことを含む。追加または代替として、いくつかの例は、アンテナの第１および第２のサブセットを使用して共有無線周波数スペクトル帯域にアクセスすることは、アンテナの第１のサブセットとアンテナの第２のサブセットとを使用して、成功したアクセスプロシージャを示すプリアンブルを送信するためのステップ、特徴、手段、または命令を含み得、プリアンブルは複数のシンボルを含み、送信することは、複数のプリアンブルシンボルの第１の部分についてアンテナの第１および第２のサブセットからの異なるプリアンブルシンボルを送信することと、複数のプリアンブルシンボルのｔｈｅの第２の部分についてアンテナの第１および第２のサブセットからの同じプリアンブルシンボルを送信することとを含む。
【００１８】
[0018]上記で説明された方法、装置、または非一時的コンピュータ可読媒体のいくつかの例は、アンテナの第１のサブセットが共有無線周波数スペクトル帯域にアクセスした後、アンテナのセットの第２のサブセットが共有無線周波数スペクトル帯域にアクセスすることができることを識別することと、アンテナの第２のサブセットを使用して共有無線周波数スペクトル帯域にアクセスすることとを行うためのステップ、特徴、手段、または命令を含み得る。追加または代替として、いくつかの例では、アンテナの第２のサブセットが共有無線周波数スペクトル帯域にアクセスすることができることを識別することは、アンテナの第２のサブセットを使用して共有無線周波数スペクトル帯域へのアクセスのための第２のアクセスプロシージャを実行するためのステップ、特徴、手段、または命令を含み得、第２のアクセスプロシージャは、アンテナの第１のサブセットの送信を取り消すことを含む。
【００１９】
[0019]上記で説明された方法、装置、または非一時的コンピュータ可読媒体のいくつかの例では、アンテナの第２のサブセットを使用して共有無線周波数スペクトル帯域にアクセスすることは、アンテナの第１のサブセットがプリアンブルシーケンスを送信していると決定することと、プリアンブルシーケンスの送信に加わることとを行うためのステップ、特徴、手段、または命令を含み得る。追加または代替として、いくつかの例は、アンテナの第１のサブセットが共有無線周波数スペクトル帯域にアクセスした後、第２の基地局に関連するアンテナの第２のセットが共有無線周波数スペクトル帯域にアクセスすることができることを識別することと、アンテナの第２のセットの1つまたは複数のアンテナを使用して共有無線周波数スペクトル帯域にアクセスすることとを行うためのステップ、特徴、手段、または命令を含み得る。
【００２０】
[0020]上記で説明された方法、装置、または非一時的コンピュータ可読媒体のいくつかの例は、アンテナの第１のサブセットとアンテナの第２のセットの１つまたは複数のアンテナとを使用して同期アクセスプロシージャを実行するためのステップ、特徴、手段、または命令を含み得る。追加または代替として、いくつかの例は、アンテナの第２のサブセットがアクセスプロシージャを使用してチャネルアクセスを獲得することになる可能性を増加させるために、アンテナの第１のサブセットにおいてダウンリンク電力制御を協調させるためのステップ、特徴、手段、または命令を含み得る。
【００２１】
[0021]ワイヤレス通信デバイスにおける通信の方法が説明される。本方法は、２つまたはそれ以上のアンテナを使用して共有無線周波数スペクトル帯域へのアクセスのために第１の空間的方向に沿っておよび第２の空間的方向に沿って指向させられたアクセスプロシージャを実行することと、アクセスプロシージャを実行することに少なくとも部分的に基づいて、送信の第１の空間的方向が、共有無線周波数スペクトル帯域にアクセスするための利用可能な方向であると決定することと、送信の利用可能な方向に沿って送信するために、２つまたはそれ以上のアンテナを使用して共有無線周波数スペクトル帯域にアクセスすることとを含み得る。
【００２２】
[0022]ワイヤレス通信デバイスにおける通信のための装置が説明される。本装置は、２つまたはそれ以上のアンテナを使用して共有無線周波数スペクトル帯域へのアクセスのために第１の空間的方向に沿っておよび第２の空間的方向に沿って指向させられたアクセスプロシージャを実行するための手段と、アクセスプロシージャを実行することに少なくとも部分的に基づいて、送信の第１の空間的方向が、共有無線周波数スペクトル帯域にアクセスするための利用可能な方向であると決定するための手段と、送信の利用可能な方向に沿って送信するために、２つまたはそれ以上のアンテナを使用して共有無線周波数スペクトル帯域にアクセスするための手段とを含み得る。
【００２３】
[0023]ワイヤレス通信デバイスにおける通信のための別の装置が説明される。本装置は、プロセッサと、プロセッサと電子通信しているメモリと、メモリに記憶された命令とを含み得る。命令は、２つまたはそれ以上のアンテナを使用して共有無線周波数スペクトル帯域へのアクセスのために第１の空間的方向に沿っておよび第２の空間的方向に沿って指向させられたアクセスプロシージャを実行することと、アクセスプロシージャを実行することに少なくとも部分的に基づいて、送信の第１の空間的方向が、共有無線周波数スペクトル帯域にアクセスするための利用可能な方向であると決定することと、送信の利用可能な方向に沿って送信するために、２つまたはそれ以上のアンテナを使用して共有無線周波数スペクトル帯域にアクセスすることとを本装置に行わせるためにプロセッサによって実行可能であり得る。
【００２４】
[0024]ワイヤレス通信デバイスにおける通信のためのコードを記憶する非一時的コンピュータ可読媒体が説明される。コードは、２つまたはそれ以上のアンテナを使用して共有無線周波数スペクトル帯域へのアクセスのために第１の空間的方向および第２の空間的方向に沿って指向させられたアクセスプロシージャを実行することと、アクセスプロシージャを実行することに少なくとも部分的に基づいて、送信の第１の空間的方向が、共有無線周波数スペクトル帯域にアクセスするための利用可能な方向であると決定することと、送信の利用可能な方向に沿って送信するために、２つまたはそれ以上のアンテナを使用して共有無線周波数スペクトル帯域にアクセスすることとを行うために実行可能な命令を含み得る。
【００２５】
[0025]上記で説明された方法、装置、または非一時的コンピュータ可読媒体のいくつかの例では、送信の利用可能な方向を決定することは、第１の空間的方向において、共有無線周波数スペクトル帯域に関連する第１のクリアチャネルアセスメント（ＣＣＡ）を実行することと、第２の空間的方向において、共有無線周波数スペクトル帯域に関連する第２のＣＣＡを実行することと、ＣＣＡが、共有無線周波数スペクトル帯域が第１の空間的方向における送信のために利用可能であることを示すと決定することとを行うためのステップ、特徴、手段、または命令を含み得る。追加または代替として、いくつかの例では、第１および第２のＣＣＡは各々、それぞれの空間的方向に関連するプリコーディングプロシージャに従って、２つまたはそれ以上のアンテナにおいてエネルギーレベルを測定することまたは知られているシーケンスを検出することを含み得る。
【００２６】
[0026]上記で説明された方法、装置、または非一時的コンピュータ可読媒体のいくつかの例は、ワイヤレス通信システムにおいて１つまたは複数の他の送信機にエネルギーレベルまたは検出されたシーケンス強度を与えるためのステップ、特徴、手段、または命令を含み得る。追加または代替として、いくつかの例では、送信の利用可能な方向を決定することは、２つまたはそれ以上の空間的方向が共有無線周波数スペクトル帯域にアクセスするために利用可能であると決定するためのステップ、特徴、手段、または命令を含み得、共有無線周波数スペクトル帯域にアクセスすることは、共有無線周波数スペクトル帯域にアクセスするための複数の空間的方向のうちの１つまたは複数について共有無線周波数スペクトル帯域にアクセスするためのステップ、特徴、手段、または命令を含み得る。
【００２７】
[0027]上記で説明された方法、装置、または非一時的コンピュータ可読媒体のいくつかの例は、受信機のロケーションと、共有無線周波数スペクトル帯域にアクセスするために利用可能な２つまたはそれ以上の空間的方向とに基づいて、共有無線周波数スペクトル帯域を使用した送信を受信すべきである１つまたは複数の受信機を選択するためのステップ、特徴、手段、または命令を含み得る。追加または代替として、いくつかの例は、送信の利用可能な方向に少なくとも部分的に基づいて、共有無線周波数スペクトル帯域上での送信のためのプリコーディング行列を選択するためのステップ、特徴、手段、または命令を含み得る。
【００２８】
[0028]上記で説明された方法、装置、または非一時的コンピュータ可読媒体のいくつかの例では、２つまたはそれ以上のアンテナは、アンテナのセットの第１のサブセットを含み得、アクセスプロシージャを実行することは、アンテナの少なくとも第１のサブセットとアンテナの第１のサブセットとは異なるアンテナの第２のサブセットとを使用して、共有無線周波数スペクトル帯域へのアクセスのためのアクセスプロシージャを実行するためのステップ、特徴、手段、または命令を含み得る。追加または代替として、いくつかの例は、アンテナの第１および第２のサブセットとを使用してアクセスプロシージャを実行することに少なくとも部分的に基づいて、アンテナの第１のサブセットが送信の利用可能な方向において共有無線周波数スペクトル帯域にアクセスすることができることを識別するためのステップ、特徴、手段、または命令を含み得る。
【００２９】
[0029]上記では、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００３０】
[0030]本開示の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００３１】
【図１】[0031]本開示の態様による、ワイヤレス通信システムの一例を示す図。
【図２】[0032]本開示の態様による、ＬＴＥ（登録商標）／ＬＴＥ−Ａが、共有無線周波数スペクトル帯域を使用して異なるシナリオの下で展開され得るワイヤレス通信システムを示す図。
【図３】[0033]本開示の態様による、共有無線周波数スペクトル帯域上でのワイヤレス通信の一例を示す図。
【図４Ａ】[0034]本開示の態様による、共有無線周波数スペクトル帯域へのアクセスを求めて競合するとき、送信装置によって実行されるＣＣＡプロシージャの一例を示す図。
【図４Ｂ】[0035]本開示の態様による、共有無線周波数スペクトル帯域へのアクセスを求めて競合するとき、送信装置によって実行される拡張ＣＣＡ（ｅＣＣＡ）プロシージャの一例を示す図。
【図５Ａ】[0036]本開示の態様による、１つまたは複数のワイヤレスデバイスが共有無線周波数スペクトル帯域中で別のデバイスからの干渉を経験し得るワイヤレス通信システムの一例を示す図。
【図５Ｂ】[0037]本開示の態様による、アンテナの１つまたは複数のサブセットが、アンテナの別のサブセットによって後続する成功したチャネルアクセスを送信し始め得るワイヤレス通信システムの一例を示す図。
【図６Ａ】[0038]本開示の態様による、１つまたは複数のワイヤレスデバイスが共有無線周波数スペクトル帯域中で別のデバイスからの干渉を経験し得るワイヤレス通信システムの一例を示す図。
【図６Ｂ】[0039]本開示の態様による、１つまたは複数のワイヤレスデバイスが共有無線周波数スペクトル帯域中で指向性アクセスプロシージャを実行し得るワイヤレス通信システムの一例を示す図。
【図７】[0040]本開示の態様による、ワイヤレス通信において使用するために構成された装置のブロック図。
【図８】[0041]本開示の態様による、ワイヤレス通信において使用するために構成された装置のブロック図。
【図９】[0042]本開示の態様による、ワイヤレス通信において使用するために構成された装置のブロック図。
【図１０】[0043]本開示の態様による、ワイヤレス通信において使用するために構成された基地局のブロック図。
【図１１】[0044]本開示の態様による、基地局とＵＥとを含む多入力多出力通信システムのブロック図。
【図１２】[0045]本開示の態様による、ワイヤレス通信のための例示的な方法を示すフローチャート。
【図１３】[0046]本開示の態様による、ワイヤレス通信のための例示的な方法を示すフローチャート。
【図１４】[0047]本開示の態様による、ワイヤレス通信のための例示的な方法を示すフローチャート。
【図１５】[0048]本開示の態様による、ワイヤレス通信のための例示的な方法を示すフローチャート。
【図１６】[0049]本開示の態様による、ワイヤレス通信のための例示的な方法を示すフローチャート。
【発明を実施するための形態】
【００３２】
[0050]共有無線周波数スペクトル帯域がワイヤレス通信システム上での通信の少なくとも一部分のために使用される技法が説明される。いくつかの例では、共有無線周波数スペクトル帯域はＬＴＥ／ＬＴＥ−Ａ通信のために使用され得る。共有無線周波数スペクトル帯域は、専用無線周波数スペクトル帯域と組み合わせて、またはそれとは無関係に使用され得る。専用無線周波数スペクトル帯域は、ＬＴＥ／ＬＴＥ−Ａ通信のために使用可能な認可無線周波数スペクトル帯域などのように、無線周波数スペクトル帯域が特定のユーザに認可されているので、送信装置がそのアクセスを求めて競合することを必要とされないことがある無線周波数スペクトル帯域であり得る。共有無線周波数スペクトル帯域は、デバイスがそのアクセスを求めて競合する必要があり得る無線周波数スペクトル帯域（たとえば、Ｗｉ−Ｆｉ（登録商標）使用など、無認可使用のために利用可能である無線周波数スペクトル帯域、あるいは等しく共有されるかまたは優先度を付けられた様式で複数の事業者が使用するために利用可能である無線周波数スペクトル帯域）であり得る。
【００３３】
[0051]専用無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者（たとえば、パブリックランドモバイルネットワーク（ＰＬＭＮ）またはＬＴＥ／ＬＴＥ−Ａネットワークなどのセルラーネットワークを画定する基地局の協調セットの事業者）に拡張データ送信容量のための機会を与え得る。共有無線周波数スペクトル帯域の使用はまた、専用無線周波数スペクトル帯域へのアクセスが利用不可能であるエリア中でサービスを与え得る。上述のように、共有無線周波数スペクトル帯域上で通信する前に、送信装置は、媒体へのアクセスを獲得するためにＬＢＴプロシージャを実行し得る。そのようなＬＢＴプロシージャは、共有無線周波数スペクトル帯域のチャネルが利用可能であるかどうかを決定するために、ＣＣＡプロシージャ（または拡張ＣＣＡプロシージャ）を実行することを含み得る。共有無線周波数スペクトル帯域のチャネルが利用可能であると決定されたとき、ＣＵＢＳまたはＷｉ−Ｆｉプリアンブルなど、プリアンブルシーケンスが、チャネルを予約するために送信され得る。チャネルが利用可能でないと決定されたとき、そのチャネルのためのＣＣＡプロシージャ（または拡張ＣＣＡプロシージャ（ｅＣＣＡ））が、後で再び実行され得る。
【００３４】
[0052]いくつかの展開では、ＣＣＡプロシージャまたはｅＣＣＡプロシージャは、個々の基地局など、個々のワイヤレス通信デバイスのために実行され得、共有無線周波数スペクトル帯域が利用可能である場合、基地局に関連する各アンテナは、共有無線周波数スペクトル帯域を使用して送信し得る。いくつかの例では、ワイヤレス通信デバイスに属するアンテナは、地理的エリア（たとえば、基地局の多地点協調（ＣｏＭＰ）展開、または基地局のセルにおけるリモートラジオヘッド（ＲＲＨ）、あるいは、たとえばドッキングステーションにおいて利用可能であり得るものなど、関連する分散アンテナヘッドを有するＵＥ）にわたって分散され得る。そのような場合、ワイヤレス通信デバイスに関連する異なるアンテナは、異なる干渉状態を経験し得る。いくつかのアンテナは、近くの干渉物（たとえば、Ｗｉ−Ｆｉアクセスポイント）により共有無線周波数スペクトル帯域がビジーであることを示唆または宣言する信号を受信することがあるが、ワイヤレス通信デバイスに関連する他のアンテナは、干渉物から比較的遠く離れていることがあり、共有無線周波数スペクトル帯域がビジーであることを示唆または宣言する信号を受信しないことがある（たとえば、他のアンテナは、共有無線周波数スペクトル帯域がクリアであるかまたは場合によっては利用可能であるという指示を与え得る）。
【００３５】
[0053]本明細書で説明される様々な例は、ＣＣＡプロシージャ、ｅＣＣＡプロシージャ、または他のＬＢＴプロシージャが、ワイヤレス通信デバイスにとって利用可能なアンテナの１つまたは複数のサブセットを採用することによって実行され得ることを与え、ここで、アンテナのサブセットは、ワイヤレス通信デバイスに関連する１つまたは複数のアンテナの任意の組合せであり、ただし、ワイヤレス通信デバイスに関連するアンテナのすべてよりも少ないものを指し得る。さらに、様々な例では、アンテナは、様々なアクセスプロシージャを実行するために使用されるアンテナの２つ以上のサブセットにおいて採用され得る（たとえば、第１のアクセスプロシージャは、アンテナＡおよびＢからなるアンテナの第１のサブセットを採用し得、第２のアクセスプロシージャは、アンテナＢおよびＣからなるアンテナの第２のサブセットを採用し得る）。そのような展開およびアクセスプロシージャは、干渉物への攪乱を生じることなしに、成功した競合に関連する共有無線周波数スペクトル帯域の部分を使用して１つまたは複数のアンテナがデータを送信することを可能にし得、一方、他のアンテナは、アイドルのままであるか、または場合によっては他の通信のために採用され得、ここで、様々な例では、他の通信は、異なる無線周波数スペクトル帯域を採用する通信を含み得る。いくつかの例では、アクセスプロシージャおよび後続の送信中にワイヤレス通信デバイスにおいて１つまたは複数のアンテナを抑制することによって、ワイヤレス通信システムにおける干渉は低減され、それにより、共有無線周波数スペクトル帯域を採用する様々なデバイスの能力が改善され得る。
【００３６】
[0054]いくつかの例では、共有無線周波数スペクトル帯域を使用する指向性アクセスプロシージャを実行するために、アンテナのアレイなど、ワイヤレス通信デバイスの２つまたはそれ以上のアンテナにおいて、ビームフォーミングが実装され得る。様々な例では、アクセスプロシージャは、１つまたは複数の選択された方向に沿って受信された信号を解釈することおよび／または１つまたは複数の選択された方向に沿ってアクセスプロシージャ信号を送信することの任意の組合せを含み得る。アクセスプロシージャに対応する送信、および後続の制御および／またはデータ送信を１つまたは複数の選択された空間的方向に沿って指向させることによって、ワイヤレス通信デバイスは、干渉物への攪乱を生じることなしに、共有無線周波数スペクトル帯域上でデータを送信することが可能であり得る。いくつかの例では、アクセスプロシージャおよび後続の送信中に、１つまたは複数の選択された空間的方向に沿って信号を送信および／または受信するように、ワイヤレス通信デバイスにおける１つまたは複数のアンテナを指向させることによって、ワイヤレス通信システムにおける干渉は低減され、それにり、共有無線周波数スペクトル帯域を採用する様々なデバイスの能力が改善され得る。
【００３７】
[0055]共有無線周波数スペクトル帯域のチャネルが利用可能であると決定されたとき、基地局またはＵＥであり得る、ワイヤレス通信デバイスは、たとえば、アンテナの選択されたサブセットまたは選択された（１つまたは複数の）空間的方向に沿ってビームフォーミングされた送信を使用してチャネルを予約するために、チャネルを介して１つまたは複数のパイロット信号シーケンス（たとえば、１つまたは複数のチャネル使用ビーコン信号（ＣＵＢＳ））を送信し得る。いくつかの例では、（１つまたは複数の）パイロット信号は、データ送信または制御送信がチャネルを介してそのときに行われ得る次のサブフレーム境界まで、チャネルを介して送信され得る。他の例では、（1つまたは複数の）チャネル予約信号は、より短い持続時間の間チャネルを介して送信され得るか、またはまったく送信されないことがある。データ送信または制御送信は、次いで、共有無線周波数スペクトル帯域へのアクセスを求める競合に勝ったサブフレームのシンボル期間中に開始し得る。
【００３８】
[0056]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００３９】
[0057]図１に、本開示の態様による、ワイヤレス通信システム１００の一例を示す。ワイヤレス通信システム１００は、基地局１０５と、ユーザ機器（ＵＥ）１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ２など）を介して、直接的または間接的のいずれかで（たとえば、コアネットワーク１３０を通して）、互いと通信し得る。
【００４０】
[0058]基地局１０５は、１つまたは複数の基地局アンテナを介してＵＥ１１５とワイヤレス通信し得る。いくつかの例では、基地局アンテナは、１つまたは複数の基地局アンテナアレイ内に配置され得る。１つまたは複数の基地局アンテナまたは基地局アンテナアレイは、アンテナ塔など、アンテナアセンブリにおいてコロケートされ得る。追加または代替として、基地局１０５に関連する基地局アンテナまたは基地局アンテナアレイは、多様な地理的ロケーション中に配置され得る。基地局１０５は、１つまたは複数のＵＥ１１５との指向性通信のためのビームフォーミング動作を行うために、複数のベースアンテナまたは基地局アンテナアレイを使用し得る。
【００４１】
[0059]基地局１０５の各々は、それぞれの地理的カバレージエリア１１０に通信カバレージを与え得る。様々な例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。基地局１０５の各々は、１つまたは複数の通信技術を使用して通信するように構成され得、異なる技術のための重複する地理的カバレージエリア１１０があり得る。
【００４２】
[0060]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００４３】
[0061]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、専用、共有などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのための基地局はマクロ基地局と呼ばれることがある。スモールセルのための基地局は、スモールセル基地局、ピコ基地局、フェムト基地局またはホーム基地局と呼ばれることがある。基地局は、１つまたは複数の（たとえば、２つ、３つ、４つなどの）セル（たとえば、コンポーネントキャリア）をサポートし得る。
【００４４】
[0062]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００４５】
[0063]様々な開示される例に適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００４６】
[0064]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の好適な用語を含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロ基地局、スモールセル基地局、リレー基地局などを含む、様々なタイプの基地局およびネットワーク機器と通信することが可能であり得る。
【００４７】
[0065]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることがあり、アップリンク送信は逆方向リンク送信と呼ばれることがある。ダウンリンク送信は、たとえば、物理ダウンリンク共有チャネル（ＰＤＳＣＨ）、物理ダウンリンク制御チャネル（ＰＤＣＣＨ、たとえば、専用無線周波数スペクトル帯域上での送信のためのもの）、あるいは拡張または発展型ＰＤＣＣＨ（ＥＰＤＣＣＨ、たとえば、共有無線周波数スペクトル帯域上での送信のためのもの）を含み得る。アップリンク送信は、たとえば、物理アップリンク共有チャネル（ＰＵＳＣＨ）または物理アップリンク制御チャネル（ＰＵＣＣＨ）を含み得る。
【００４８】
[0066]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、または時間領域複信（ＴＤＤ：time domain duplexing）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００４９】
[0067]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。追加または代替として、複数のアンテナは、選択された空間的方向に沿って信号を送信し、および／または選択された空間的方向に沿って受信された信号を解釈するための様々なビームフォーミング技法を実行するために、基地局１０５またはＵＥによって採用され得る様々な例では、基地局１０５またはＵＥ１１５に関連する複数のアンテナは、コロケートされたアンテナおよび／または異なる地理的ロケーションをもつアンテナであり得る。
【００５０】
[0068]いくつかの例では、ワイヤレス通信システム１００は、専用無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているかまたは場合によっては専用であるので、送信装置がそのためにアクセスを求めて競合することを必要とされないことがある無線周波数スペクトル帯域）または共有無線周波数スペクトル帯域（たとえば、送信装置がそのためにアクセスを求めて競合する必要があり得る無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上での動作をサポートし得る。
【００５１】
[0069]上述のように、共有無線周波数スペクトル帯域を使用するとき、基地局１０５またはＵＥ１１５は、ＣＣＡまたはｅＣＣＡプロシージャなど、チャネルアクセスプロシージャを実行し得る。本明細書で説明される様々な例は、ＣＣＡプロシージャ、ｅＣＣＡプロシージャ、または他のＬＢＴプロシージャが、プロシージャを実行する基地局１０５またはＵＥ１１５のいずれかに関連するアンテナのサブセットについて、アンテナ（またはアンテナのグループ）ごとに実行され得ることを与える。そのような展開およびアクセスプロシージャは、ワイヤレス通信デバイスの１つまたは複数のアンテナが、アンテナのうちの１つにおける（またはアンテナの１つのグループにおける）干渉を生成しているネイバリングデバイス（たとえば、Ｗｉ−Ｆｉアクセスポイント）への攪乱を生じることなしにデータを送信することを可能にし得る。いくつかの例では、同じく上述のように、ビームフォーミングは、１つまたは複数の選択された空間的方向に沿って指向性アクセスプロシージャを実行するために、ワイヤレス通信デバイスによって実装され得、これは、１つまたは複数のアンテナ（たとえば、ビームフォーミング技法を採用するアンテナのアレイ）が、特定の空間的方向に沿って干渉を生成しているデバイスへの攪乱を生じることなしにデータを送信することをも可能にし得る。
【００５２】
[0070]図２に、本開示の態様による、ＬＴＥ／ＬＴＥ−Ａが、共有無線周波数スペクトル帯域を使用して異なるシナリオの下で展開され得るワイヤレス通信システム２００を示す。より詳細には、図２は、ＬＴＥ／ＬＴＥ−Ａが共有無線周波数スペクトル帯域を使用して展開される、（認可支援アクセスモードとも呼ばれる）補足ダウンリンクモードと、キャリアアグリゲーションモードと、スタンドアロンモードとの例を示している。ワイヤレス通信システム２００は、図１を参照しながら説明されたワイヤレス通信システム１００の部分の一例であり得る。その上、第１の基地局２０５および第２の基地局２０５−ａは、図１を参照しながら説明された基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明されたＵＥ１１５のうちの１つまたは複数の態様の例であり得る。
【００５３】
[0071]ワイヤレス通信システム２００における補足ダウンリンクモード（たとえば、認可支援アクセスモード）の例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトル帯域における周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、専用無線周波数スペクトル帯域における周波数Ｆ４に関連し得る。共有無線周波数スペクトル帯域におけるダウンリンクチャネル２２０および専用無線周波数スペクトル帯域における第１の双方向リンク２２５は、同時に動作し得る。ダウンリンクチャネル２２０はダウンリンク容量オフロードを第１の基地局２０５に与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、専用無線周波数スペクトル帯域を使用し、トラフィックまたはシグナリング輻輳の一部を軽減する必要がある、サービスプロバイダ（たとえば、モバイルネットワーク事業者（ＭＮＯ））に関して発生し得る。
【００５４】
[0072]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有無線周波数スペクトル帯域における周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトル帯域における周波数Ｆ２に関連し得る。第２の双方向リンク２３０は、第１の基地局２０５にダウンリンクおよびアップリンク容量オフロードを与え得る。上記で説明された補足ダウンリンク（たとえば、認可支援アクセスモード）のように、このシナリオは、専用無線周波数スペクトルを使用し、トラフィックまたはシグナリング輻輳の一部を軽減する必要がある、任意のサービスプロバイダ（たとえば、ＭＮＯ）に関して発生し得る。
【００５５】
[0073]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトル帯域における周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトル帯域における周波数Ｆ２に関連し得る。第４の双方向リンク２４０は、ダウンリンクおよびアップリンク容量オフロードを第１の基地局２０５に与え得る。この例および上記で与えられた例は説明の目的で提示され、容量オフロードのために、専用無線周波数スペクトル帯域におけるＬＴＥ／ＬＴＥ−Ａを組み合わせ、共有無線周波数スペクトル帯域を使用する他の同様の動作モードまたは展開シナリオがあり得る。
【００５６】
[0074]上記で説明されたように、共有無線周波数スペクトル帯域におけるＬＴＥ／ＬＴＥ−Ａを使用することによって提供される容量オフロードから恩恵を受け得る１つのタイプのサービスプロバイダは、専用無線周波数スペクトル帯域ＬＴＥ／ＬＴＥ−Ａへのアクセス権利を有する旧来のＭＮＯである。これらのサービスプロバイダの場合、動作例は、専用無線周波数スペクトル帯域上のＬＴＥ／ＬＴＥ−Ａ１次コンポーネントキャリア（ＰＣＣ）と共有無線周波数スペクトル帯域上の少なくとも１つの２次コンポーネントキャリア（ＳＣＣ）とを使用するブートストラップモード（たとえば、補足ダウンリンク（たとえば、認可支援アクセス）、キャリアアグリゲーション）を含み得る。
【００５７】
[0075]キャリアアグリゲーションモードでは、データおよび制御は、たとえば、専用無線周波数スペクトル帯域中で（たとえば、第１の双方向リンク２２５、第３の双方向リンク２３５、および第５の双方向リンク２４５を介して）通信され得るが、データは、たとえば、共有無線周波数スペクトル帯域中で（たとえば、第２の双方向リンク２３０および第４の双方向リンク２４０を介して）通信され得る。共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り得る。
【００５８】
[0076]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトル帯域における周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、専用無線周波数スペクトル帯域へのアクセスを有しない、スタジアム所有者、ケーブル会社、イベント主催者、ホテル、企業、または大企業であり得る。
【００５９】
[0077]いくつかの例では、図１または図２を参照しながら説明された基地局１０５、２０５、または２０５−ａのうちの１つ、あるいは図１または図２を参照しながら説明されたＵＥ１１５、２１５、２１５−ａ、２１５−ｂ、または２１５−ｃのうちの１つなどの送信装置は、共有無線周波数スペクトル帯域のチャネルへの（たとえば、共有無線周波数スペクトル帯域の物理チャネルへの）アクセスを獲得するためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡまたはｅＣＣＡ）プロシージャなどの競合プロシージャ（たとえば、ＬＢＴプロシージャ）をいつ実行する必要があるかを示し得る。ＣＣＡプロシージャの結果は、共有無線周波数スペクトル帯域のチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用のために「クリア」）であることをＣＣＡプロシージャが示すとき、送信装置は、ＬＢＴ無線フレームの一部または全部中に共有無線周波数スペクトル帯域のチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。
【００６０】
[0078]図３に、本開示の様々な態様による、共有無線周波数スペクトル帯域上でのワイヤレス通信３１０の一例３００を示す。いくつかの例では、ワイヤレス通信３１０は、１つまたは複数のコンポーネントキャリアを含み得、その（１つまたは複数の）コンポーネントキャリアは、たとえば、図２を参照しながら説明された補足ダウンリンクモード（たとえば、認可支援アクセスモード）、キャリアアグリゲーションモード、またはスタンドアロンモードに従って行われる送信の一部として、送信され得る。
【００６１】
[0079]いくつかの例では、ワイヤレス通信３１０のＬＢＴ無線フレーム３１５は、１０ミリ秒の持続時間を有し、いくつかのダウンリンク（Ｄ）サブフレーム３２０と、いくつかのアップリンク（Ｕ）サブフレーム３２５と、２つのタイプのスペシャルサブフレーム、Ｓサブフレーム３３０およびＳ’サブフレーム３３５とを含み得る。Ｓサブフレーム３３０は、ダウンリンクサブフレーム３２０とアップリンクサブフレーム３２５との間の遷移を与え得るが、Ｓ’サブフレーム３３５は、アップリンクサブフレーム３２５とダウンリンクサブフレーム３２０との間の遷移、いくつかの例では、ＬＢＴ無線フレーム間の遷移を与え得る。
【００６２】
[0080]Ｓ’サブフレーム３３５の第２の部分３４５中に、ダウンリンククリアチャネルアセスメント（ＤＣＣＡ：downlink clear channel assessment）プロシージャが、時間期間の間、それの上でワイヤレス通信３１０が行われる共有無線周波数スペクトル帯域のチャネルを予約するために、図１または図２を参照しながら説明された基地局１０５、２０５、または２０５−ａのうちの１つまたは複数など、１つまたは複数の基地局によって実行され得る。基地局による成功したＤＣＣＡプロシージャに続いて、基地局は、基地局がチャネルを予約したという指示を他の基地局または装置（たとえば、ＵＥ、Ｗｉ−Ｆｉアクセスポイントなど）に与えるために、チャネル使用ビーコン信号（ＣＵＢＳ）（たとえば、ダウンリンクＣＵＢＳ（Ｄ−ＣＵＢＳ））など、Ｓ’サブフレーム３３５の第３の部分３５０中のプリアンブルシーケンスを送信し得る。いくつかの例では、Ｄ−ＣＵＢＳは、複数のインターリーブリソースブロックを使用して送信され得る。このようにしてＤ−ＣＵＢＳを送信することは、Ｄ−ＣＵＢＳが、共有無線周波数スペクトル帯域の利用可能な周波数帯域幅の少なくとも一定の割合を占有し、１つまたは複数の規制上の要件（たとえば、共有無線周波数スペクトル帯域上の送信が利用可能な周波数帯域幅の少なくとも８０％を占有する要件）を満たすことを可能にし得る。Ｄ−ＣＵＢＳは、いくつかの例では、ＬＴＥ／ＬＴＥ−Ａセル固有基準信号（ＣＲＳ）またはチャネル状態情報基準信号（ＣＳＩ−ＲＳ）の形態と同様の形態をとり得る。複数のアンテナ、またはアンテナのグループがセル中に存在する展開では、プリアンブルシーケンスの全部または一部が、複数のアンテナまたはアンテナグループの間で周波数分割多重化（ＦＤＭ）を使用して送信され得る。ＤＣＣＡプロシージャが失敗したとき、Ｄ−ＣＵＢＳは場合によっては送信されないことがある。
【００６３】
[0081]Ｓ’サブフレーム３３５は、複数の直交周波数分割多重（ＯＦＤＭ）シンボル期間（たとえば、１４個のＯＦＤＭシンボル期間）を含み得る。Ｓ’サブフレーム３３５の第１の部分３４０は、短縮されたアップリンク（Ｕ）期間として、いくつかのＵＥによって使用され得る。Ｓ’サブフレーム３３５の第２の部分３４５は、ＤＣＣＡプロシージャのために使用され得る。Ｓ’サブフレーム３３５の第３の部分３５０は、ダウンリンクパイロットタイムスロット（ＤｗＰＴＳ：downlink pilot time slot）としてまたはＤ−ＣＵＢＳを送信するために、共有無線周波数スペクトル帯域のチャネルへのアクセスを求める競合に成功した１つまたは複数の基地局によって使用され得る。ノーマルサイクリックプレフィックス（ＣＰ）を有する送信の場合、可能なＤｗＰＴＳ長さは、｛３，６，９，１０，１１，１２｝シンボル期間を含む。拡張ＣＰを有する送信の場合、可能なＤｗＰＴＳ長さは、｛３，５，８，９，１０｝シンボル期間を含む。
【００６４】
[0082]Ｓサブフレーム３３０の第３の部分３６５中に、アップリンクＣＣＡ（ＵＣＣＡ）プロシージャが、時間期間の間、それの上でワイヤレス通信３１０が行われるチャネルを予約するために、図１または図２を参照しながら上記で説明されたＵＥ１１５、２１５、２１５−ａ、２１５−ｂ、または２１５−ｃのうちの１つまたは複数など、１つまたは複数のＵＥによって実行され得る。ＵＥによる成功したＵＣＣＡプロシージャに続いて、ＵＥは、ＵＥがチャネルを予約したという指示を他のＵＥまたは装置（たとえば、基地局、Ｗｉ−Ｆｉアクセスポイントなど）に与えるために、アップリンクＣＵＢＳ（Ｕ−ＣＵＢＳ）など、Ｓサブフレーム３３０の第４の部分３７０中のパイロットシーケンスを送信し得る。いくつかの例では、Ｕ−ＣＵＢＳは、複数のインターリーブリソースブロックを使用して送信され得る。このようにしてＵ−ＣＵＢＳを送信することは、Ｕ−ＣＵＢＳが、共有無線周波数スペクトル帯域の利用可能な周波数帯域幅の少なくとも一定の割合を占有し、１つまたは複数の規制上の要件（たとえば、共有無線周波数スペクトル帯域上の送信が利用可能な周波数帯域幅の少なくとも８０％を占有する要件）を満たすことを可能にし得る。Ｕ−ＣＵＢＳは、いくつかの例では、ＬＴＥ／ＬＴＥ−Ａ  ＣＲＳまたはＣＳＩ−ＲＳの形態と同様の形態をとり得る。ＵＣＣＡプロシージャが失敗したとき、Ｕ−ＣＵＢＳは場合によっては送信されないことがある。
【００６５】
[0083]Ｓサブフレーム３３０は、複数のＯＦＤＭシンボル期間（たとえば、１４個のＯＦＤＭシンボル期間）を含み得る。Ｓサブフレーム３３０の第１の部分３５５は、短縮されたダウンリンク（Ｄ）期間として、いくつかの基地局によって使用され得る。Ｓサブフレーム３３０の第２の部分３６０は、ガード期間（ＧＰ）として使用され得る。Ｓサブフレーム３３０の第３の部分３６５は、ＵＣＣＡプロシージャのために使用され得る。Ｓサブフレーム３３０の第４の部分３７０は、アップリンクパイロットタイムスロット（ＵｐＰＴＳ：uplink pilot time slot）としてまたはＵ−ＣＵＢＳを送信するために、共有無線周波数スペクトル帯域のチャネルへのアクセスを求める競合に成功した１つまたは複数のＵＥによって使用され得る。ノーマルＣＰまたは拡張ＣＰを有する送信の場合、可能なＵｐＰＴＳ長さは、１つまたは２つのシンボル期間を含む。
【００６６】
[0084]Ｓサブフレーム３３０の第１の部分３５５に示されているような、短縮されたＤ期間のためのトランスポートブロックサイズ（ＴＢＳ）は、ファクタによって下方へスケーリングされ得る。たとえば、ＴＢＳスケーリングファクタは、６（たとえば、ノーマルＣＰを有する送信）または５（たとえば、拡張ＣＰを有する送信）のＤｗＰＴＳ長さに関して０．３７５であり得る。ＤｗＰＴＳ長さが３である場合、ＰＤＳＣＨまたはＥＰＤＣＣＨは送信されないことがある。ＴＢＳスケーリングファクタは、他のスペシャルサブフレーム構成に関して０．７５であり得る。
【００６７】
[0085]いくつかの例では、ＤＣＣＡプロシージャまたはＵＣＣＡプロシージャは、単一のＣＣＡプロシージャの実行を含み得る。他の例では、ＤＣＣＡプロシージャまたはＵＣＣＡプロシージャは、拡張ＣＣＡプロシージャの実行を含み得る。拡張ＣＣＡプロシージャは、ランダムな数のＣＣＡプロシージャを含み得、いくつかの例では、複数のＣＣＡプロシージャを含み得る。したがって、ＤＣＣＡプロシージャおよびＵＣＣＡプロシージャという用語は、単一のＣＣＡプロシージャまたは拡張ＣＣＡプロシージャのいずれかの実行をカバーするのに十分広義であるものとする。ＬＢＴ無線フレーム中の基地局またはＵＥによる実行のための、単一のＣＣＡプロシージャまたは拡張ＣＣＡプロシージャの選択はＬＢＴルールに基づき得る。いくつかの場合には、ＣＣＡプロシージャという用語は、本開示では、単一のＣＣＡプロシージャまたは拡張ＣＣＡプロシージャのいずれかを指すために、一般的な意味で使用されることがある。
【００６８】
[0086]例として、ＬＢＴ無線フレーム３１５は、ＤＤＤＤＤＤＳＵＵＳ’ＴＤＤフレーム構造を有する。他の例では、ＬＢＴ無線フレームは異なるＴＤＤフレーム構造を有し得る。たとえば、ＬＢＴ無線フレームは、拡張干渉緩和およびトラフィック適応（ｅＩＭＴＡ：enhanced interference mitigation and traffic adaptation）において使用されるＴＤＤフレーム構造のうちの１つを有し得る。
【００６９】
[0087]図４Ａに、本開示の態様による、共有無線周波数スペクトル帯域へのアクセスを求めて競合するとき、送信装置によって実行されるＣＣＡプロシージャ４１５の一例４００を示す。いくつかの例では、ＣＣＡプロシージャ４１５は、図３を参照しながら説明されたＤＣＣＡプロシージャまたはＵＣＣＡプロシージャの一例であり得る。ＣＣＡプロシージャ４１５は固定持続時間を有し得る。いくつかの例では、ＣＣＡプロシージャ４１５は、ＬＢＴフレームベース機器（ＬＢＴ−ＦＢＥ：LBT-frame based equipment）プロトコル（たとえば、ＥＮ３０１  ８９３によって記述されるＬＢＴ−ＦＢＥプロトコル）に従って実行され得る。ＣＣＡプロシージャ４１５に続いて、ＣＵＢＳ４２０が送信され、その後にデータ送信（たとえば、アップリンク送信またはダウンリンク送信）が続き得る。例として、データ送信は、３つのサブフレームの意図された持続時間４０５と、３つのサブフレームの実際の持続時間４１０とを有し得る。
【００７０】
[0088]図４Ｂに、本開示の様々な態様による、共有無線周波数スペクトル帯域へのアクセスを求めて競合するとき、送信装置によって実行される拡張ＣＣＡ（ｅＣＣＡ）プロシージャ４６５の一例４５０を示す。いくつかの例では、ｅＣＣＡプロシージャ４６５は、図３を参照しながら説明されたＤＣＣＡプロシージャまたはＵＣＣＡプロシージャの一例であり得る。ｅＣＣＡプロシージャ４６５は、ランダムな数のＣＣＡプロシージャを含み得、いくつかの例では、複数のＣＣＡプロシージャを含み得る。したがって、ｅＣＣＡプロシージャ４６５は可変持続時間を有し得る。いくつかの例では、ｅＣＣＡプロシージャ４６５は、ＬＢＴ負荷ベース機器（ＬＢＴ−ＬＢＥ：LBT-load based equipment）プロトコル（たとえば、ＥＮ３０１  ８９３によって記述されるＬＢＴ−ＬＢＥプロトコル）に従って実行され得る。ｅＣＣＡプロシージャ４６５は、無認可無線周波数スペクトル帯域にアクセスするための競合に勝つことのより高い可能性を与え得るが、それは、より短いデータ送信という潜在的な犠牲を払い得る。ｅＣＣＡプロシージャ４６５に続いて、ＣＵＢＳ４７０など、パイロットシーケンスが送信され、その後にデータ送信が続き得る。例として、データ送信は、３つのサブフレームの意図された持続時間４５５と、２つのサブフレームの実際の持続時間４６０とを有し得る。
【００７１】
[0089]いくつかの例では、共有無線周波数スペクトル帯域へのアクセスを求める競合に勝った後に行われる送信の開始シンボルが、常に、次の完全なサブフレームの第１のシンボル期間中に送信され得、１つまたは複数のチャネル予約信号（たとえば、ＣＵＢＳまたはフラクショナルＣＵＢＳ）が、次の完全なサブフレームに先行するサブフレーム境界まで送信され得る。他の例では、共有無線周波数スペクトル帯域へのアクセスを求める競合に勝った後に行われる送信の開始シンボルは、より早期のシンボル期間（たとえば、共有無線周波数スペクトル帯域へのアクセスを求める競合に勝ったサブフレームのシンボル期間）中に送信され得、このことは、送信効率を増加させ得る。
【００７２】
[0090]図５Ａに、本開示の態様による、基地局または他のネットワークノードなど、１つまたは複数のワイヤレスデバイスが共有無線周波数スペクトル帯域中で別のデバイスからの干渉を経験し得るワイヤレス通信システム５００−ａの一例を示す。ワイヤレス通信システム５００−ａは、たとえば、図１または図２に示されているワイヤレス通信システム１００または２００の態様を示し得る。この例では、ワイヤレス通信システム５００−ａは、各々が共有無線周波数スペクトル帯域を使用して動作する、１つまたは複数の基地局５０５、１つまたは複数のＵＥ５１５、およびＷｉ−Ｆｉアクセスポイント５２０などの別個のデバイスを含み得る。図５Ａの例では、基地局５０５−ａが送信のために利用し得、様々な例では、独立した処理能力を有しないことがある、サービング基地局５０５−ａに関連する（１つまたは複数の）分散アンテナ５３５が存在し得る。基地局５０５は、図１または図２を参照しながら説明された基地局１０５または２０５のうちの１つまたは複数の態様の例であり得、ＵＥ５１５は、図１または図２を参照しながら説明されたＵＥ１１５または２１５のうちの１つまたは複数の態様の例であり得る。基地局５０５は、図１を参照しながら説明されたバックホールリンク１３４の一例であり得、ワイヤードまたはワイヤレス通信リンクであり得る、バックホールリンク５３４（たとえば、Ｘ２など）を介して互いと通信し得る。
【００７３】
[0091]図５Ａの例に示されているように、ワイヤレス通信システム５００はセル５１０−ａおよび５１０−ｂを含む。セル５１０−ａは、基地局５０５−ａと（１つまたは複数の）分散アンテナ５３５−ａおよび５３５−ｂとを含み得、隣接セル５１０−ｂは基地局５０５−ｂを含み得る。２つの基地局５０５が示されているが、任意の数の異なる基地局５０５が存在し得ることを容易に理解されよう。同様に、２つの分散アンテナ５３５がセル５１０−ａおよびサービング基地局５０５−ａに関連するものとして示されているが、より多いまたはより少ない分散アンテナがセル５１０中に存在し得ることを容易に認識されよう。上述のように、様々な異なるデバイスは、共有無線周波数スペクトル帯域を使用して送信し得、ワイヤレス通信システム５００中に存在し得る。
【００７４】
[0092]ワイヤレス通信システム５００−ａなど、いくつかの例では、Ｗｉ−Ｆｉアクセスポイント５２０は、セル５１０−ａの地理的境界内にあるかまたはそれに隣接し得る基地局５０５−ａの近くに配置され得る。ワイヤレス通信システム５００−ａに示されているように、Ｗｉ−Ｆｉアクセスポイント５２０は干渉信号５２５を送信し得、これは、共有無線周波数スペクトル帯域へのアクセスのための基地局５０５−ａによるアクセスプロシージャ（たとえば、ＣＣＡプロシージャ）が不成功であり得るような強度の、基地局５０５−ａにおける干渉を課し得る（たとえば、干渉は、基地局５０５−ａが共有無線周波数スペクトル帯域上でのアクセスを求める競合に勝つことを妨げ得る）。たとえば、基地局５０５−ａは、失敗したアクセスプロシージャを生じるのに十分な信号強度でＷｉ−Ｆｉアクセスポイント５２０からの送信を受信し得るロケーションにおいて、基地局５０５−ａにおいて物理的にコロケートされたアンテナを有し得る。しかしながら、たとえば、リモートラジオヘッド（ＲＲＨ）であり得る（１つまたは複数の）分散アンテナ５３５−ａおよび５３５−ｂは、基地局５０５−ａにも関連し得、その後、セル５１０−ａに関連し得る。いくつかの例では、（１つまたは複数の）分散アンテナ５３５−ａおよび５３５−ｂは、干渉信号５２５の信号強度が基地局５０５−ａの物理的にコロケートされたアンテナにおけるよりも低くなり得る、Ｗｉ−Ｆｉアクセスポイント５２０からの十分な距離において配置され得る。いくつかの例では、分散アンテナにおける干渉は、基地局５０５−ａが、（１つまたは複数の）分散アンテナ５３５−ａまたは５３５−ｂのうちの一方または両方として共有無線周波数スペクトル帯域にその後アクセスするために、（１つまたは複数の）分散アンテナ５３５−ａまたは５３５−ｂのうちの一方または両方を使用して（たとえば、（１つまたは複数の）アンテナ５３５−ａおよび／または５２５−ｂを採用するとき、共有無線周波数スペクトル帯域への競合に勝つ）成功したアクセスプロシージャを実行し得るほど、十分に低くなり得る。
【００７５】
[0093]本開示の様々な態様によれば、基地局５０５−ａは、アクセスプロシージャを実行するために、基地局５０５−ａロケーションにおいて物理的にコロケートされたアンテナと、（たとえば、制御リンク５３０−ａおよび５３０−ｂを介して）コロケートされない（１つまたは複数の）分散アンテナ５３５−ａおよび５３５−ｂの各々とを個々に制御し得る。１つまたは複数のロケーションにおけるアンテナ（この例では（１つまたは複数の）分散アンテナ５３５−ｂおよび５３５−ｂ）が、共有無線周波数スペクトル帯域のための成功した競合プロシージャ中で採用され、他のロケーションにおける１つまたは複数のアンテナ（この例では基地局５０５−ａロケーションにおいてコロケートされたアンテナ）が、共有無線周波数スペクトル帯域のための不成功の競合プロシージャ中で採用される場合、共有無線周波数スペクトル帯域上での後続の送信が、成功した競合プロシージャに関連するアンテナを使用して行われ得る。そのようにして、チャネルアクセスは、基地局５０５−ａと、基地局５０５−ａによってサービスされる少なくともＵＥ５１５のサブセット（たとえば、セル５１０−ａ内の少なくともＵＥ５１５のサブセット）とのために拡張され得る。
【００７６】
[0094]各基地局５０５は、１つまたは複数の異なるアンテナ、またはアンテナのグループを含み得、いくつかの例では、基地局５０５−ａなど、第１の基地局は、基地局５０５−ａサイトにおいて物理的にコロケートされたアンテナを使用するなど、基地局５０５−ａに関連するアンテナの第１のサブセットを使用する時間期間中に、共有無線周波数スペクトル帯域へのアクセスを求めて競合するために、第１のアクセスプロシージャ（たとえば、ＣＣＡまたはｅＣＣＡ）を実行し得る。基地局５０５−ａは、（１つまたは複数の）分散アンテナ５３５−ａを使用するなど、第１のサブセットとは異なる、基地局５０５−ａに関連するアンテナの第２のサブセットを使用する時間期間中に、共有無線周波数スペクトル帯域へのアクセスを求めて競合するために、第２のアクセスプロシージャ（たとえば、ＣＣＡまたはｅＣＣＡ）を実行し得る。同様に、基地局５０５−ａは、（１つまたは複数の）分散アンテナ５３５−ｂを使用するアクセスを求めて競合するために、第３のアクセスプロシージャを実行し得る。いくつかの例では、基地局５０５−ａとコロケートされた１つまたは複数のアンテナ、および／または（１つまたは複数の）分散アンテナ５３５−ａおよび５３５−ｂのうちの１つまたは複数のアンテナは、共通基準信号（ＣＲＳ）など、様々な基準信号および制御信号を送信するために使用され得る論理アンテナポート中に含まれ得る。論理アンテナポートは、たとえば、地理的にコロケートされないことがある基地局５０５−ａのアンテナを含み得る。
【００７７】
[0095]  アクセスプロシージャに基づいて、基地局に関連するアンテナの第１のサブセットが、共有無線周波数スペクトル帯域にアクセスすることができ（たとえば、共有無線周波数スペクトル帯域のための成功したアクセスプロシージャ中で採用された）、共有無線周波数スペクトル帯域が、基地局に関連するアンテナの第１のサブセットを使用してアクセスされ得ることが識別され得る。上記で説明したように、基地局５０５が共有無線周波数スペクトル帯域への競合に勝つとき、成功したアクセスプロシージャを示す、ＣＵＢＳまたはＷｉ−Ｆｉプリアンブルなど、プリアンブルが送信され得、たとえば、基地局に関連するアンテナの第１のサブセットのアンテナのうちの１つまたは複数によって送信され得る。いくつかの例では、プリアンブルは、基地局５０５−ａの論理アンテナポートに関連する共通パイロット信号を含み得る。いくつかの例では、論理アンテナポートは、チャネルアクセスを獲得しなかった基地局５０５に関連する１つまたは複数のアンテナ（たとえば、図５Ａの例では基地局５０５−ａとコロケートされたアンテナ）を含み得るが、共通パイロット信号は、論理アンテナポートに関連するアンテナのすべてよりも少ないアンテナを使用して送信され続け得る。この例では、共通パイロット信号は、アンテナの第１のサブセットから送信され得る。いくつかの例では、共通プリアンブルはまた、どのアンテナが共通パイロット信号を送信しているかを示す識別子を含み得る。他の例では、プリアンブルは、それぞれ、共有無線周波数スペクトル帯域を求める競合に勝った１つまたは複数のアンテナに関連するチャネル状態情報基準信号（ＣＳＩ−ＲＳ）など、１つまたは複数のアンテナ固有パイロット信号を含み得る。そのような場合、プリアンブルは、成功したアクセスプロシージャ中で採用された論理アンテナポートから送信されるであろう。またさらなる例では、プリアンブルは、ＵＥ５１５などの受信機に関連するＵＥ基準信号（ＵＥ−ＲＳ）など、１つまたは複数の専用パイロット信号を含み得る。そのような専用パイロット信号は、１つまたは複数の物理アンテナがプリコーディングを使用してそれの各々にマッピングされる、論理アンテナポートを使用して送信され得る。
【００７８】
[0096]基地局５０５−ａおよび５０５−ｂは、各々が図５Ａ中のそれぞれのセル（たとえば、それぞれセル５１０−ａおよび５１０−ｂ）を有するものとして示されているが、基地局５０５は、２つ以上のセル（たとえば、２つ以上の地理的エリア）をサービスし得ることが認識され得る。そのような例では、基地局５０５の各セルは、２つ以上のアンテナに関連し得、説明されたアクセスプロシージャは、アンテナ（またはアンテナのグループ）ごとに基地局５０５のセルのために実行され得る。言い換えれば、基地局５０５は、共有無線周波数スペクトル帯域にアクセスするために、基地局５０５の特定のセルのためにアクセスプロシージャを実行し得、ここで、アクセスプロシージャはセルのアンテナの２つ以上のサブセットのために実行される。基地局５０５は、共有無線周波数スペクトル帯域を使用する後続の通信を実行するために、成功したアクセスプロシージャ中で採用されたアンテナから選択し得、基地局５０５のセルに関連する他のアンテナは、アイドルのままであるかまたは場合によっては異なる無線周波数スペクトル帯域を使用する通信のために採用される。
【００７９】
[0097]基地局５０５−ａおよび５０５−ｂは、各々が図５Ａ中のそれぞれのセル（たとえば、それぞれセル５１０−ａおよび５１０−ｂ）を有するものとして示されているが、より多くの基地局がセル中に存在し得ることと、異なる基地局５０５がアンテナの１つまたは複数のグループを含み得ることとが認識され得る。いくつかの例では、基地局５０５に関連するアンテナの２つまたはそれ以上のサブセットは、時間期間の間、共有無線周波数スペクトル帯域へのアクセスを獲得し得（たとえば、成功したアクセスプロシージャ中で採用された）、共有無線周波数スペクトル帯域は、アンテナのそのようなサブセットのうちの２つまたはそれ以上を使用してアクセスされ得る。いくつかの例では、アンテナの各サブセットは、アンテナの異なるサブセット間で周波数分割多重化（ＦＤＭ）を使用して、成功したアクセスプロシージャを示すプリアンブルを送信し得る。いくつかの例では、プリアンブルは、複数のシンボルを含み得、異なるプリアンブルシンボルが、アンテナの異なるサブセットから送信され得る。いくつかの例では、そのようなプリアンブルシンボルのうちのいくつかは、アンテナの異なるサブセットの間で共通であり得、他のシンボルは、アンテナの特定のサブセットに固有であり得る。たとえば、最後のプリアンブルシンボルは、アンテナの異なるサブセットにわたって同じシーケンスを使用し得、これは、たとえば、ある制御情報（たとえば、物理フレームフォーマットインジケータチャネル（ＰＦＦＩＣＨ））の復調のための位相基準を与えるために有用であり得る。
【００８０】
[0098]上記で説明したように、基地局が、基地局に関連するアンテナのサブセットを採用する共有無線周波数スペクトル上での送信のために、成功したアクセスプロシージャを実行しない（たとえば、競合に勝たないか、または場合によっては不成功である競合プロシージャを実行する）場合、いくつかの例では、アンテナのその特定のサブセットは、競合プロシージャに関連する送信期間中に送信しない。いくつかの例では、アンテナのそのサブセットは、不成功の競合プロシージャに関連しない無線周波数帯域中での送信期間中に信号を送信し得る。基地局は、共有無線周波数スペクトル帯域へのアクセスを獲得するために、アンテナのそのサブセットを採用する後続のアクセスプロシージャを実行することを試み得る。いくつかの例では、そのようなアクセスプロシージャは、基地局のアンテナの１つまたは複数のサブセットが送信している間、実行され得る。
【００８１】
[0099] 図５Ｂに、本開示の態様による、アンテナの１つまたは複数のサブセットが、アンテナの別のサブセットによって後続する成功したチャネルアクセスを送信し始め得るワイヤレス通信システム５００−ｂの一例を示す。ワイヤレス通信システム５００−ｂは、たとえば、図１、図２、または図５Ａに示されているワイヤレス通信システム１００、２００、または５００−ａの態様を示し得る。この例では、ワイヤレス通信システム５００−ｂは、各々が共有無線周波数スペクトル帯域を使用して動作する、１つまたは複数の基地局５０５、１つまたは複数のＵＥ５１５、およびＷｉ−Ｆｉアクセスポイント５２０などの別個のデバイスを含み得る。（１つまたは複数の）分散アンテナ５３５も存在し得、基地局５０５−ａに関連し得る。基地局５０５は、図１、図２、または図５を参照しながら説明された基地局１０５、２０５、または５０５のうちの１つまたは複数の態様の例であり得、ＵＥ５１５は、図１、図２、または図５を参照しながら説明されたＵＥ１１５、２１５、または５１５のうちの１つまたは複数の態様の例であり得る。基地局５０５は、図１を参照しながら説明されたバックホールリンク１３４の一例であり得、ワイヤードまたはワイヤレス通信リンクであり得る、バックホールリンク５３４（たとえば、Ｘ２など）を介して互いと通信し得る。
【００８２】
[0100]図５Ｂの例では、（１つまたは複数の）分散アンテナ５３５−ａは、共有無線周波数スペクトル帯域上で成功したＣＣＡを実行し、共有無線周波数スペクトル帯域上で後続の送信を実行するために採用され得る。Ｗｉ−Ｆｉアクセスポイント５２０によって引き起こされる干渉により、基地局５０５−ａにおいてコロケートされたアンテナは、不成功のＣＣＡに関連し得、したがって、後続の送信において採用されないことがある。その後、Ｗｉ−Ｆｉアクセスポイント５２０は、共有無線周波数スペクトル帯域を使用して送信することを中止し得る（たとえば、アイドルであり得る）。基地局５０５−ａは、次いで、後続のアクセスプロシージャを実行し、チャネルへのアクセスを獲得し、基地局５０５−ａにおいてコロケートされたアンテナと（１つまたは複数の）分散アンテナ５３５−ａとを採用する送信を開始し得る。後続のアクセスプロシージャのために、基地局５０５−ａとコロケートされたアンテナは、（１つまたは複数の）分散アンテナ５３５−ａからの信号のために干渉消去プロシージャを実行し得る。
【００８３】
[0101]いくつかの例では、（１つまたは複数の）アンテナ５３５−ａはダウンリンク電力制御を実行し得、これにより、たとえば、（１つまたは複数の）アンテナ５３５−ａからの送信がより低い電力で送信され得る。ダウンリンク電力制御は、基地局５０５−ａとコロケートされたアンテナが、（１つまたは複数の）アンテナ５３５−ａからの信号の干渉消去を必要とすることなしにチャネルアクセスを獲得するのを助け得る。基地局５０５−ａが、他のいかなる送信機も共有無線周波数スペクトル帯域を占有していないと決定した場合、基地局５０５−ａは、基地局５０５−ａとコロケートされたアンテナを利用し、（１つまたは複数の）分散アンテナ５３５−ａの送信に加わり得る。いくつかの例では、第１の基地局５０５−ａは、（１つまたは複数の）分散アンテナ５３５−ａがプリアンブルシーケンスを送信していると決定し得、プリアンブルシーケンスの送信に加わり得る。他の例では、第１の基地局５０５−ａは、（１つまたは複数の）分散アンテナ５３５−ａがデータを送信していると決定し得、チャネルアクセスを獲得すると直ちにデータを送信し始め得る。
【００８４】
[0102]いくつかの例では、（１つまたは複数の）分散アンテナ５３５−ａまたは５３５−ｂは、基地局５０５−ａとコロケートされたアンテナとの非同期アクセスプロシージャ（たとえば、非同期ｅＣＣＡ）を実行し得る。いくつかの他の例では、（１つまたは複数の）分散アンテナ５３５−ａまたは５３５−ｂは、基地局５０５−ａとコロケートされたアンテナとの同期アクセスプロシージャ（たとえば、同期ｅＣＣＡ）を実行することを選定し得る。フレーム境界および関係する同期に関係する情報は、アンテナの２つのセットが同じセルに属するので利用可能である。隣接セル５１０−ｂに関連する隣接基地局５０５−ｂが、基地局５０５−ａと同様の様式で動作し得る。
【００８５】
[0103]図５Ａおよび図５Ｂを参照しながら説明されたワイヤレス通信システム５００−ａおよび５００−ｂは、基地局５０５について、複数の関連するアンテナ５３５を有し、関連するアンテナ５３５のサブセットを採用するアクセスプロシージャを実行するものとして説明するが、説明された方法は、共有無線周波数スペクトル帯域へのアクセスを求めて競合するとき、複数のアンテナを有する任意のデバイスによって実行され得る。たとえば、ＵＥは、デバイスにおいてコロケートされるか、または地理的に分散されるかのいずれかである、ＵＥに関連する複数のアンテナを有し得る。たとえば、いくつかの例では、ＵＥ５１５は、複数のコロケートされたアンテナを有し得、および／あるいはアンテナ拡張、外部アンテナ、ドッキングステーション、または任意の他の好適な手段を介して複数のアンテナへのアクセスを有し得る。複数の関連するアンテナを有するそれらのＵＥは、アンテナのサブセットを採用することによって、共有無線周波数スペクトル帯域にアクセスするためのアクセスプロシージャを実行し、後続の送信のために、成功した競合プロシージャに関連するそれらのアンテナから選択し得、ＵＥ５１５の他のアンテナは、アイドルのままであるか、または別の無線周波数スペクトル帯域上での送信のために使用され得る。
【００８６】
[0104]図６Ａに、本開示の態様による、基地局、ＵＥ、または他のネットワークノードなど、１つまたは複数のワイヤレスデバイスが共有無線周波数スペクトル帯域中で別のデバイスからの干渉を経験し得るワイヤレス通信システム６００の一例を示す。ワイヤレス通信システム６００は、たとえば、図１、図２、図５Ａ、または図５Ｂに示されているワイヤレス通信システム１００、２００、または５００の態様を示し得る。この例では、ワイヤレス通信システム６００は、各々が共有無線周波数スペクトル帯域を使用して動作する、１つまたは複数の基地局６０５、１つまたは複数のＵＥ６１５、およびＷｉ−Ｆｉアクセスポイント６２０などの別個のデバイスを含み得る。基地局６０５は、図１、図２、図５Ａ、または図５Ｂを参照しながら説明された基地局１０５、２０５、または５０５のうちの１つまたは複数の態様の例であり得、ＵＥ６１５は、図１、図２、図５Ａ、または図５Ｂを参照しながら説明されたＵＥ１１５、２１５、または５１５のうちの１つまたは複数の態様の例であり得る。基地局６０５は、図１を参照しながら説明されたバックホールリンク１３４の例であり得、ワイヤードまたはワイヤレス通信リンクであり得る、バックホールリンク６３４（たとえば、Ｘ２など）を介して互いと通信し得る。
【００８７】
[0105]図６Ａの例に示されているように、ワイヤレス通信システム６００は、基地局６０５−ａおよび６０５−ｂを含み得る、セル６１０を含む。上記と同様に、様々な異なるデバイスが、共有無線周波数スペクトル帯域を使用して送信し得、ワイヤレス通信システム６００中に存在し得る。この例では、Ｗｉ−Ｆｉアクセスポイント６２０は、セル６１０の地理的境界内にまたはそれに隣接してなど、基地局６０５−ａまたは６０５−ｂのうちの一方または両方の近くに配置され得る。この例では、Ｗｉ−Ｆｉアクセスポイント６２０は干渉信号６２５を送信し得、これは、共有無線周波数スペクトル帯域へのアクセスのための基地局６０５−ａによるアクセスプロシージャ（たとえば、ＣＣＡプロシージャ）が不成功であり得るような強度の、基地局６０５−ａにおける干渉を課し得る（たとえば、干渉は、基地局６０５−ａが共有無線周波数スペクトル帯域上でのアクセスを求める競合に勝つことを妨げ得る）。しかしながら、Ｗｉ−Ｆｉアクセスポイント６２０からの干渉は、基地局６０５−ａがそれと通信すべきであるＵＥ６１５の空間的方向とは異なり得るある方向に集中され得る。いくつかの例では、ビームフォーミングが、指向性ＣＣＡを実行するために基地局６０５−ａによって採用され得る。指向性ＣＣＡは、サービング基地局のアンテナがコロケートされるか否かにかかわらず、ＣＣＡが等方的に実行される必要がなく、チャネルが、意図された送信の方向のみにおいてクリアである必要があることを認識する。したがって、例では、基地局６０５−ａは、送信の意図された方向６３０において指向性ＣＣＡを実行し得る。
【００８８】
[0106]いくつかの例では、指向性ＣＣＡは、基地局６０５−ａに対して２つまたはそれ以上の異なる空間的方向に関する干渉情報を取得し得る。たとえば、基地局６０５−ａは、あらかじめ合意されたコードブック中の各プリコーダのために干渉測定を実行し得、干渉が１つまたは複数の空間的方向において存在し、チャネルが１つまたは複数の他の空間的方向においてクリアであり得ると決定し得る。いくつかの例では、この情報は、アンテナおよび／または基地局にわたって（たとえば、基地局６０５−ｂと）共有され得、異なる送信のために使用されるべきプリコーダ行列の選定を向上させるのを支援するために使用され得る。いくつかの例では、基地局６０５−ａは、チャネルアクセスプロシージャに勝ったプリコーディングベクトルに基づいてなど、送信のために異なるユーザを選択し得る。さらに、指向性ＣＣＡは、図５Ａおよび図５Ｂを参照しながら上記で説明されたような、アンテナごとのＣＣＡ（たとえば、基地局に関連するアンテナのサブセットを採用するアクセスプロシージャ）とともに使用され得、実際のデータ送信のために使用されるプリコーディング行列は、成功したチャネルアクセスプロシージャにおいて採用されたアンテナのサブセットに基づいて再最適化され得る。いくつかの例では、アクセスプロシージャは、それぞれの空間的方向に関連するプリコーディングプロシージャに従って、２つまたはそれ以上のアンテナにおいてエネルギーレベルを測定することまたは知られているシーケンスを検出することを含み得る。いくつかの例では、エネルギーレベルまたは検出されたシーケンス強度は、他のＵＥおよび／または基地局など、ワイヤレス通信システム６００中の１つまたは複数の他の送信機に与えられ得る。
【００８９】
[0107]上記で説明されたように、基地局６０５−ａは、チャネルアクセスを獲得すると（たとえば、成功したアクセスプロシージャに続いて）、プリアンブルを送信し得る。いくつかの例では、指向性アクセスプロシージャ（たとえば、アンテナアレイにおけるビームフォーミングを介して１つまたは複数の方向に沿って指向させられたアクセスプロシージャ）を使用するとき、プリアンブルは、ＵＥ６１５などの受信機に関連するＵＥ基準信号（ＵＥ−ＲＳ）など、１つまたは複数の専用パイロット信号を含み得る。そのような専用パイロット信号は、１つまたは複数の物理アンテナがプリコーディングを使用してそれの各々にマッピングされる、論理アンテナポートを使用して送信され得る。したがって、基地局６０５−ａが指向性ＣＣＡを使用して共有無線周波数スペクトル帯域へのアクセスを獲得すると、基地局６０５−ａは、プリアンブルとデータの両方が、成功したアクセスプロシージャに関連する方向に沿って送信されるように、プリコーディングを使用して専用パイロットからのプリアンブルを送信し得る。いくつかの状況では、プリアンブルが共通パイロットを使用して送信されるべきであった場合、プリアンブル送信は、Ｗｉ−Ｆｉアクセスポイント６２０への干渉を潜在的に与え得る。
【００９０】
[0108]図６Ｂに、本開示の態様による、ＵＥなど、１つまたは複数のワイヤレスデバイスが共有無線周波数スペクトル帯域中で指向性アクセスプロシージャを実行し得るワイヤレス通信システム６５０の一例を示す。ワイヤレス通信システム６５０は、たとえば、Ｗｉ−Ｆｉシステムの態様を示し得、各々が共有無線周波数スペクトル帯域を使用して動作する、サービングアクセスポイント６５５、干渉信号６７０を送信する干渉アクセスポイント６６５、および１つまたは複数のＵＥ６１５−ａを含み得る。図６Ｂの例では、ＵＥ６１５−ａは、上記で説明された基地局６０５−ａの指向性アクセスプロシージャと同様の指向性アクセスプロシージャを使用し得る。いくつかの例では、ＵＥ６１５−ａは、ＵＥ６１５−ａに対して２つまたはそれ以上の異なる空間的方向に沿って干渉情報を取得し得る。たとえば、ＵＥ６１５−ａは、あらかじめ合意されたコードブック中の各プリコーダのために干渉測定を実行し得、干渉が１つまたは複数の空間的方向に沿って存在し、したがってチャネルが１つまたは複数の他の空間的方向においてクリアであり得ると決定し得る。いくつかの例では、アクセスプロシージャは、それぞれの空間的方向に関連するプリコーディングプロシージャに従って、２つまたはそれ以上のアンテナにおいてエネルギーレベルを測定することまたは知られているシーケンスを検出することを含み得る。いくつかの例では、エネルギーレベルまたは検出されたシーケンス強度は、１つまたは複数の他のノード（基地局および／またはＵＥ）に与えられ得る。
【００９１】
[0109]基地局６０５−ａに対して上記で説明したのと同様に、ＵＥ６１５−ａは、干渉アクセスポイント６６５との干渉を回避するために、チャネルアクセスを獲得すると（たとえば、成功した指向性アクセスプロシージャに続いて）、指向性プリアンブルを送信し得る。いくつかの例では、これは、実行されたアクセスプロシージャ中に利用可能であると決定された方向に部分的に基づく、共有無線周波数スペクトル帯域上での送信のためのプリコーディング行列の選択を含み得る。したがって、ＵＥ６１５−ａが指向性アクセスプロシージャを使用して共有無線周波数スペクトル帯域へのアクセスを獲得すると、ＵＥ６１５−ａは、プリアンブルとデータの両方が利用可能な方向（たとえば、ＣＣＡ方向６６０）に沿って送信されるように、プリコーディングを使用して専用パイロットからのプリアンブルを送信し得る。
【００９２】
[0110]様々な例では、アンテナのサブセットを採用するアクセスプロシージャのために説明された方法と、指向性アクセスプロシージャのために説明された方法とが組み合わせられ得る。たとえば、ＵＥ６１５は、アンテナの第１のサブセットとアンテナの第１のサブセットとは異なるアンテナの第２のサブセットとにおいて使用して共有無線周波数スペクトル帯域へのアクセスのための指向性アクセスプロシージャを実行し得る。いくつかの例では、ＵＥ６１５は、指向性アクセスプロシージャ基づいて、アンテナの第１のサブセットが、利用可能な方向において共有無線周波数スペクトル帯域にアクセスすることができることを識別し、アンテナの第１のサブセットのアンテナのうちの１つまたは複数においてビームフォーミングを採用することによって後続の通信を実行し得る。
【００９３】
[0111]図７に、本開示の態様による、ワイヤレス通信において使用するために構成された装置７０５のブロック図７００を示す。いくつかの例では、装置７０５は、図１、図２、図５Ａ、図５Ｂ、または図６Ａを参照しながら説明された基地局１０５、２０５、５０５、６０５、あるいは図６Ｂのアクセスポイント６５５または６６５のうちの１つまたは複数の態様の一例であり得る。いくつかの例では、装置７０５は、図１、図２、図５Ａ、図５Ｂ、図６Ａ、または図６Ｂを参照しながら説明されたＵＥ１１５、２１５、５１５、または６１５のうちの１つまたは複数の態様の一例であり得る。装置７０５はまた、プロセッサであるか、またはプロセッサを含み得る。装置７０５は、受信機７１０、ワイヤレス通信管理モジュール７２０、または送信機７３０を含み得る。これらのモジュールの各々は互いと通信していることがある。
【００９４】
[0112]装置７０５のモジュールは、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００９５】
[0113]いくつかの例では、受信機７１０は、専用無線周波数スペクトル帯域および／または共有無線周波数スペクトル帯域上での送信を受信するように動作可能な少なくとも１つの無線周波数（ＲＦ）受信機など、少なくとも１つのＲＦ受信機を含み得る。専用無線周波数スペクトル帯域は、送信装置がそれのためにアクセスを求めて競合することを必要とされないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。様々な例では、専用無線周波数スペクトル帯域および／または共有無線周波数スペクトル帯域は、たとえば、図１または図２を参照しながら説明されたように、ＬＴＥ／ＬＴＥ−Ａ通信のために使用され得る。受信機７１０は、図１、図２、図５Ａ、図５Ｂ、図６Ａ、または図６Ｂを参照しながら説明されたワイヤレス通信システム１００、２００、５００、６００、または６５０の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域のうちの１つまたは複数上で確立され得る。
【００９６】
[0114]いくつかの例では、送信機７３０は、専用無線周波数スペクトル帯域および／または共有無線周波数スペクトル帯域上で送信するように動作可能な少なくとも１つのＲＦ送信機など、少なくとも１つのＲＦ送信機を含み得る。送信機７３０は、図１、図２、図５Ａ、図５Ｂ、図６Ａ、または図６Ｂを参照しながら説明されたワイヤレス通信システム１００、２００、５００、６００、または６５０の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域のうちの１つまたは複数上で確立され得る。
【００９７】
[0115]いくつかの例では、ワイヤレス通信管理モジュール７２０は、装置７０５のためのワイヤレス通信の１つまたは複数の態様を管理するために使用され得る。様々な例では、ワイヤレス通信管理モジュール７２０は、共有ＲＦスペクトル帯域監視モジュール７３５または共有ＲＦスペクトル帯域アクセスモジュール７４０を含み得る。
【００９８】
[0116]いくつかの例では、共有ＲＦスペクトル帯域監視モジュール７３５は、別のワイヤレスデバイス（たとえば、基地局または他のワイヤレス通信機）が共有無線周波数スペクトル帯域へのアクセスを取得したという指示（たとえば、成功したアクセスプロシージャが実行されたという指示）について、サブフレームの少なくとも１つの所定のシンボル期間を監視するために使用され得る。
【００９９】
[0117]共有ＲＦスペクトル帯域アクセスモジュール７４０は、共有無線周波数スペクトル帯域が送信のために利用可能であるかまたは利用不可能であると決定し得、共有無線周波数スペクトル帯域にアクセスするためのアクセスプロシージャをクリアしていることがある装置７０５に関連するアンテナの１つまたは複数のサブセット（たとえば、成功したアクセスプロシージャにおいて採用されたアンテナの１つまたは複数のサブセット）を決定し得る、アンテナ決定モジュール７４５を含み得る。
【０１００】
[0118]図８に、本開示の態様による、ワイヤレス通信において使用するための装置８０５のブロック図８００を示す。装置８０５は、図１、図２、図５Ａ、図５Ｂ、または図６Ａを参照しながら説明された基地局１０５、２０５、５０５、または６０５、図６Ｂを参照しながら説明されたアクセスポイント６５５または６６５のうちの１つまたは複数の態様の一例であり得る。いくつかの例では、装置８０５は、図１、図２、図５Ａ、図５Ｂ、図６Ａ、または図６Ｂを参照しながら説明されたＵＥ１１５、２１５、５１５、または６１５のうちの１つまたは複数の態様の一例であり得る。いくつかの例では、装置８０５は、図７を参照しながら説明された装置７０５の１つまたは複数の態様の一例であり得る。装置８０５はまた、プロセッサであるか、またはプロセッサを含み得る。装置８０５は、受信機８１０、ワイヤレス通信管理モジュール８２０、または送信機８３０を含み得る。これらのモジュールの各々は互いと通信していることがある。
【０１０１】
[0119]装置８０５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１０２】
[0120]いくつかの例では、受信機８１０は、専用無線周波数スペクトル帯域および／または共有無線周波数スペクトル帯域上での送信を受信するように動作可能な少なくとも１つのＲＦ受信機など、少なくとも１つのＲＦ受信機を含み得る。専用無線周波数スペクトル帯域は、送信装置がそれのためにアクセスを求めて競合することを必要とされないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。様々な例では、専用無線周波数スペクトル帯域または共有無線周波数スペクトル帯域は、たとえば、図１または図２を参照しながら説明されたように、ＬＴＥ／ＬＴＥ−Ａ通信のために使用され得る。受信機８１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機モジュール（たとえば、専用ＲＦスペクトル帯域のためのＬＴＥ／ＬＴＥ−Ａ受信機モジュール８１２）、および共有無線周波数スペクトル帯域上で通信するためのＬＴＥ／ＬＴＥ−Ａ受信機モジュール（たとえば、共有ＲＦスペクトル帯域のためのＬＴＥ／ＬＴＥ−Ａ受信機モジュール８１４）の形態をとり得る。専用ＲＦスペクトル帯域のためのＬＴＥ／ＬＴＥ−Ａ受信機モジュール８１２または共有ＲＦスペクトル帯域のためのＬＴＥ／ＬＴＥ−Ａ受信機モジュール８１４を含む受信機８１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域のうちの１つまたは複数上で確立され得る。
【０１０３】
[0121]いくつかの例では、送信機８３０は、専用無線周波数スペクトル帯域および／または共有無線周波数スペクトル帯域上で送信するように動作可能な少なくとも１つのＲＦ送信機など、少なくとも１つのＲＦ送信機を含み得る。送信機８３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機モジュール（たとえば、専用ＲＦスペクトル帯域のためのＬＴＥ／ＬＴＥ−Ａ送信機モジュール８３２）、および共有無線周波数スペクトル帯域上で通信するためのＬＴＥ／ＬＴＥ−Ａ送信機モジュール（たとえば、共有ＲＦスペクトル帯域のためのＬＴＥ／ＬＴＥ−Ａ送信機モジュール８３４）の形態をとり得る。専用ＲＦスペクトル帯域のためのＬＴＥ／ＬＴＥ−Ａ送信機モジュール８３２または共有ＲＦスペクトル帯域のためのＬＴＥ／ＬＴＥ−Ａ送信機モジュール８３４を含む送信機８３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域のうちの１つまたは複数上で確立され得る。
【０１０４】
[0122]いくつかの例では、ワイヤレス通信管理モジュール８２０は、装置８０５のためのワイヤレス通信の１つまたは複数の態様を管理するために使用され得る。いくつかの例では、ワイヤレス通信管理モジュール８２０は、共有ＲＦスペクトル帯域監視モジュール８３５または共有ＲＦスペクトル帯域アクセスモジュール８４０を含み得る。いくつかの例では、共有ＲＦスペクトル帯域監視モジュール８３５は、他のワイヤレスデバイスが共有無線周波数スペクトル帯域へのアクセスを取得したという指示（たとえば、成功したアクセスプロシージャが実行されたという指示）について、サブフレームの少なくとも１つの所定のシンボル期間を監視するために使用され得る。
【０１０５】
[0123]共有ＲＦスペクトル帯域アクセスモジュール８４０は、様々な例によれば、共有無線周波数スペクトル帯域を使用するアクセスプロシージャおよび後続の送信を管理し得る。図８の例では、共有ＲＦスペクトル帯域アクセスモジュール８４０は、ＣＣＡモジュール８５５と、アクセス同期モジュール８６０と、プリアンブルモジュール８６５と、アンテナ決定モジュール８７０とを含む。ＣＣＡモジュール８５５は、上記で説明されたように、ＣＣＡまたはｅＣＣＡプロシージャなど、アクセスプロシージャ機能を実行し得る。例では、ＣＣＡモジュール８５５は、上記で説明されたように、アンテナごとにまたはアンテナのグループごとにアクセスプロシージャを実行し得、共有無線周波数スペクトル帯域がアンテナ（またはアンテナグループ）ごとのアクセスのために利用可能であると決定し得る。アクセス同期モジュール８６０は、上記で説明されたのと同様に、アクセスプロシージャを実行するための同期、および成功したチャネルアクセスに続くプリアンブルまたはデータの送信の同期など、アクセス同期機能を実行し得る。プリアンブルモジュール８６５は、上記で説明されたような様式で、ＣＵＢＳなど、共有無線周波数スペクトル帯域チャネルの予約を示すために使用され得るプリアンブルシンボルを生成し得る。いくつかの例では、プリアンブルモジュール８６５は、複数のデバイスのプリアンブル送信のＦＤＭ態様を管理し得る。アンテナ決定モジュール８７０は、共有無線周波数スペクトル帯域にアクセスするためのアクセスプロシージャをクリアしていることがある装置８０５に関連するアンテナの１つまたは複数のサブセットを決定し（たとえば、成功したアクセスプロシージャにおいてどのアンテナが採用されたかを決定し）得る。
【０１０６】
[0124]図９に、本開示の態様による、ワイヤレス通信において使用するための装置９０５のブロック図９００を示す。いくつかの例では、装置９０５は、図１、図２、図５Ａ、図５Ｂ、または図６Ａを参照しながら説明された基地局１０５、２０５、５０５、または６０５、図６Ｂを参照しながら説明されたアクセスポイント６５５または６６５のうちの１つまたは複数の態様の一例であり得る。いくつかの例では、装置９０５は、図１、図２、図５Ａ、図５Ｂ、図６Ａ、または図６Ｂを参照しながら説明されたＵＥ１１５、２１５、５１５、または６１５のうちの１つまたは複数の態様の一例であり得る。いくつかの例では、装置９０５は、図７または図８を参照しながら説明された装置７０５または８０５の１つまたは複数の態様の一例であり得る。装置９０５はまた、プロセッサであるか、またはプロセッサを含み得る。装置９０５は、受信機９１０、ワイヤレス通信管理モジュール９２０、または送信機９３０を含み得る。これらのモジュールの各々は互いと通信していることがある。
【０１０７】
[0125]装置９０５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１０８】
[0126]いくつかの例では、受信機９１０は、専用無線周波数スペクトル帯域および／または共有無線周波数スペクトル帯域上での送信を受信するように動作可能な少なくとも１つのＲＦ受信機など、少なくとも１つのＲＦ受信機を含み得る。専用無線周波数スペクトル帯域は、送信装置がそれのためにアクセスを求めて競合することを必要とされないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。様々な例では、専用無線周波数スペクトル帯域または共有無線周波数スペクトル帯域は、たとえば、図１または図２を参照しながら説明されたように、ＬＴＥ／ＬＴＥ−Ａ通信のために使用され得る。受信機９１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機モジュール（たとえば、専用ＲＦスペクトル帯域のためのＬＴＥ／ＬＴＥ−Ａ受信機モジュール９１２）、および共有無線周波数スペクトル帯域上で通信するためのＬＴＥ／ＬＴＥ−Ａ受信機モジュール（たとえば、共有ＲＦスペクトル帯域のためのＬＴＥ／ＬＴＥ−Ａ受信機モジュール９１４）の形態をとり得る。専用ＲＦスペクトル帯域のためのＬＴＥ／ＬＴＥ−Ａ受信機モジュール９１２または共有ＲＦスペクトル帯域のためのＬＴＥ／ＬＴＥ−Ａ受信機モジュール９１４を含む受信機９１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域のうちの１つまたは複数上で確立され得る。
【０１０９】
[0127]いくつかの例では、送信機９３０は、専用無線周波数スペクトル帯域または共有無線周波数スペクトル帯域上で送信するように動作可能な少なくとも１つのＲＦ送信機など、少なくとも１つのＲＦ送信機を含み得る。送信機９３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機モジュール（たとえば、専用ＲＦスペクトル帯域のためのＬＴＥ／ＬＴＥ−Ａ送信機モジュール９３２）、および共有無線周波数スペクトル帯域上で通信するためのＬＴＥ／ＬＴＥ−Ａ送信機モジュール（たとえば、共有ＲＦスペクトル帯域のためのＬＴＥ／ＬＴＥ−Ａ送信機モジュール９３４）の形態をとり得る。専用ＲＦスペクトル帯域のためのＬＴＥ／ＬＴＥ−Ａ送信機モジュール９３２または共有ＲＦスペクトル帯域のためのＬＴＥ／ＬＴＥ−Ａ送信機モジュール９３４を含む送信機９３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、共有無線周波数スペクトル帯域または専用無線周波数スペクトル帯域のうちの１つまたは複数上で確立され得る。
【０１１０】
[0128]いくつかの例では、ワイヤレス通信管理モジュール９２０は、装置９０５のためのワイヤレス通信の１つまたは複数の態様を管理するために使用され得る。いくつかの例では、ワイヤレス通信管理モジュール９２０は、共有ＲＦスペクトル監視モジュール９３５、プリコーディングモジュール９４０、または共有ＲＦスペクトル帯域アクセスモジュール９４５を含み得る。いくつかの例では、共有ＲＦスペクトル監視モジュール９３５は、他のワイヤレスデバイスが共有無線周波数スペクトル帯域へのアクセスを取得したという指示（たとえば、成功したアクセスプロシージャが実行されたという指示）について、サブフレームの少なくとも１つの所定のシンボル期間を監視するために使用され得る。
【０１１１】
[0129]共有ＲＦスペクトル帯域アクセスモジュール９４５は、様々な例によれば、共有無線周波数スペクトル帯域を使用するアクセスプロシージャおよび後続の送信を管理し得る。プリコーディングモジュール９４０は、確立されたプリコーディング技法に従って、装置９０５における送信および受信のためのプリコーディング機能を実行し得る。図９の例では、共有ＲＦスペクトル帯域アクセスモジュール９４５は、空間的方向決定モジュール９５０を含む。空間的方向決定モジュール９５０は、上記で説明されたように、指向性ＣＣＡまたはｅＣＣＡプロシージャなど、指向性ＣＣＡ機能を実行するかまたは場合によっては制御し得る。様々な例では、これらのプロシージャは、受信機９１０によって受信された信号に関連する空間的方向を決定することおよび／または送信機９３０による送信のビームフォーミングのための空間的方向を決定することを含み得る。様々な例では、ビームフォーミング技法が、指向性アクセスプロシージャを実行するために送信機９３０によって採用され得、そのようなビームフォーミング技法の制御の態様は、空間的方向決定モジュール９５０、ワイヤレス通信管理モジュール９２０、または送信機９３０のうちの１つまたは複数によって実行され得る。
【０１１２】
[0130]図１０に、本開示の態様による、ワイヤレス通信における使用のために構成された基地局１００５（たとえば、ｅＮＢの一部または全部を形成する基地局）のブロック図１０００を示す。いくつかの例では、基地局１００５は、図１、図２、図５Ａ、図５Ｂ、または図６Ａを参照しながら説明された基地局１０５、２０５、５０５、または６０５の１つまたは複数の態様、あるいは図７、図８、または図９を参照しながら説明された装置７０５、８０５、または９０５のうちの１つまたは複数の態様の一例であり得る。基地局１００５は、図１、図２、図３、図４Ａ、図４Ａ、図５Ａ、図５Ｂ、図６Ａ、図６Ｂ、図７、図８、または図９を参照しながら説明された基地局の特徴および機能のうちの少なくともいくつかを実装するかまたは可能にするように構成され得る。
【０１１３】
[0131]基地局１００５は、基地局プロセッサモジュール１０１０、基地局メモリモジュール１０２０、（（１つまたは複数の）基地局トランシーバ１０５０によって表される）少なくとも１つの基地局トランシーバモジュール、（コロケートされた（１つまたは複数の）アンテナおよび／または（１つまたは複数の）分散アンテナを含み得る（１つまたは複数の）基地局アンテナ１０５５によって表される）少なくとも１つの基地局アンテナ、または基地局ワイヤレス通信管理モジュール１０６０を含み得る。（１つまたは複数の）アンテナ１０５５は、たとえば、ケーブルまたはファイバーを介して基地局１００５に接続され得る。基地局１００５はまた、基地局通信モジュール１０３０またはネットワーク通信モジュール１０４０のうちの１つまたは複数を含み得る。これらの構成要素の各々は、１つまたは複数のバス１０３５上で、直接または間接的に、互いと通信していることがある。
【０１１４】
[0132]基地局メモリモジュール１０２０は、ランダムアクセスメモリ（ＲＡＭ）または読取り専用メモリ（ＲＯＭ）を含み得る。基地局メモリモジュール１０２０は、基地局プロセッサモジュール１０１０によって実行されたとき、共有無線周波数スペクトル帯域へのアクセスを取得することと、共有無線周波数スペクトル帯域へのアクセスが取得されたという指示をＵＥに送信すること（指示は、ＵＥへの送信の開始シンボルを含むシンボル期間を伝達する）と、示された開始シンボルに従ってＵＥへの送信を行うこととを含む、ワイヤレス通信に関係する本明細書で説明される様々な機能を基地局１００５に実行させるように構成された命令を含んでいるコンピュータ可読、コンピュータ実行可能コード１０２５を記憶し得る。代替的に、コード１０２５は、基地局プロセッサモジュール１０１０によって直接的に実行可能ではないが、場合によっては、（たとえば、コンパイルされ、実行されたとき）本明細書で説明される機能のうちのいくつかを基地局１００５に実行させるように構成され得る。
【０１１５】
[0133]基地局プロセッサモジュール１０１０は、インテリジェントハードウェアデバイス、たとえば、ＣＰＵ、マイクロコントローラ、ＡＳＩＣなどを含み得る。基地局プロセッサモジュール１０１０は、（１つまたは複数の）基地局トランシーバ１０５０、基地局通信モジュール１０３０、またはネットワーク通信モジュール１０４０を通して受信された情報を処理し得る。基地局プロセッサモジュール１０１０はまた、（１つまたは複数の）アンテナ１０５５を通した送信のために（１つまたは複数の）トランシーバモジュール１０５０に送られるべき情報、１つまたは複数の他の基地局１００５−ａおよび１００５−ｂへの送信のために基地局通信モジュール１０３０に送られるべき情報、または図１を参照しながら説明したコアネットワーク１３０の１つまたは複数の態様の一例であり得る、コアネットワーク１０４５への送信のためにネットワーク通信モジュール１０４０に送られるべき情報を処理し得る。基地局プロセッサモジュール１０１０は、単独で、または、基地局ワイヤレス通信管理モジュール１０６０とともに、専用無線周波数スペクトル帯域または共有無線周波数スペクトル帯域上で通信すること（またはそれの上での通信を管理すること）の様々な態様を扱い得る。専用無線周波数スペクトル帯域は、送信装置がそれのためにアクセスを求めて競合することを必要とされないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１１６】
[0134]（１つまたは複数の）基地局トランシーバ１０５０は、パケットを変調し、変調されたパケットを送信のために（１つまたは複数の）基地局アンテナ１０５５に与え、（１つまたは複数の）基地局アンテナ１０５５から受信されたパケットを復調するように構成されたモデムを含み得る。（１つまたは複数の）基地局トランシーバ１０５０は、いくつかの例では、１つまたは複数の基地局送信機モジュールおよび１つまたは複数の別個の基地局受信機モジュールとして実装され得る。（１つまたは複数の）基地局トランシーバ１０５０は、図７、図８、または図９を参照しながら説明された受信機７１０、８１０、または９１０あるいは送信機７３０、８３０、または９３０のうちの１つまたは複数の機能を実行するか、または場合によってはそれらの例であり得る。
【０１１７】
[0135]（１つまたは複数の）基地局トランシーバ１０５０は、専用無線周波数スペクトル帯域または共有無線周波数スペクトル帯域における通信をサポートし得る。（１つまたは複数の）基地局トランシーバ１０５０は、（１つまたは複数の）アンテナ１０５５を介して、図１、図２、図５Ａ、図５Ｂ、図６Ａ、または図６Ｂを参照しながら説明された基地局１０５、２０５、５０５、または６０５、あるいは図１、図２、図５Ａ、図５Ｂ、図６Ａ、または図６Ｂを参照しながら説明されたＵＥ１１５、２１５、５１５、または６１５のうちの１つまたは複数など、１つまたは複数の基地局、ＵＥ、または装置と双方向に通信するように構成され得る。基地局１００５は、たとえば、複数の基地局アンテナ１０５５（たとえば、アンテナアレイ）を含み得る。基地局１００５は、ネットワーク通信モジュール１０４０を通してコアネットワーク１０４５と通信し得る。基地局１００５はまた、基地局通信モジュール１０３０を使用して、基地局１００５−ａおよび１００５−ｂなど、他の基地局と通信し得る。他の基地局１００５−ａおよび１００５−ｂは、たとえば、基地局１００５のセルに関連する他の基地局を含み得、アンテナベースアクセスプロシージャまたは指向性アクセスプロシージャを実行するために基地局１００５と協調し得る。
【０１１８】
[0136]基地局ワイヤレス通信管理モジュール１０６０は、専用無線周波数スペクトル帯域または共有無線周波数スペクトル帯域上でのワイヤレス通信に関係する図１、図２、図３、図４Ａ、図４Ｂ、図５Ａ、図５Ｂ、図６Ａ、図６Ｂ、図７、図８、または図９を参照しながら説明された特徴または機能の一部または全部を実行または制御するように構成され得る。たとえば、基地局ワイヤレス通信管理モジュール１０６０は、専用無線周波数スペクトル帯域または共有無線周波数スペクトル帯域を使用して、補足ダウンリンクモード（たとえば、認可支援アクセスモード）、キャリアアグリゲーションモード、またはスタンドアロンモードをサポートするように構成され得る。基地局ワイヤレス通信管理モジュール１０６０は、専用無線周波数スペクトル帯域中でのＬＴＥ／ＬＴＥ−Ａ通信を扱うように構成された、専用ＲＦスペクトル帯域のための基地局ＬＴＥ／ＬＴＥ−Ａモジュール１０６５と、共有無線周波数スペクトル帯域中でのＬＴＥ／ＬＴＥ−Ａ通信を扱うように構成された、共有ＲＦスペクトル帯域のための基地局ＬＴＥ／ＬＴＥ−Ａモジュール１０７０とを含み得る。基地局ワイヤレス通信管理モジュール１０６０、またはそれの部分はプロセッサを含み得、あるいは基地局ワイヤレス通信管理モジュール１０６０の機能の一部または全部は、基地局プロセッサモジュール１０１０によって実行されるか、または基地局プロセッサモジュール１０１０とともに実行され得る。いくつかの例では、基地局ワイヤレス通信管理モジュール１０６０は、図７、図８、または図９を参照しながら説明されたワイヤレス通信管理モジュール７２０、８２０、または９２０の一例であり得る。
【０１１９】
[0137]図１１に、本開示の態様による、ワイヤレス通信における使用のために構成されたＵＥ１１１５のブロック図１１００を示す。いくつかの例では、ＵＥ１１１５は、図１、図２、図５Ａ、図５Ｂ、図６Ａ、または図６Ｂを参照しながら説明されたＵＥ１１５、２１５、５１５、または６１５、あるいは図７、図８、または図９を参照しながら説明された装置７０５、８０５、または９０５のうちの１つまたは複数の態様の一例であり得る。ＵＥ１１１５は、図１、図２、図３、図４Ａ、図４Ａ、図５Ａ、図５Ｂ、図６Ａ、図６Ｂ、図７、図８、または図９を参照しながら説明されたＵＥの特徴および機能のうちの少なくともいくつかを実装するかまたは可能にするように構成され得る。
【０１２０】
[0138]ＵＥ１１１５は、ＵＥプロセッサモジュール１１１０、ＵＥメモリモジュール１１２０、（（１つまたは複数の）ＵＥトランシーバ１１５０によって表される）少なくとも１つのＵＥトランシーバモジュール、（コロケートされた（１つまたは複数の）アンテナおよび／または（１つまたは複数の）分散アンテナを含み得る（１つまたは複数の）ＵＥアンテナ１１５５によって表される）少なくとも１つのＵＥアンテナ、またはＵＥワイヤレス通信管理モジュール１１６０を含み得る。（１つまたは複数の）アンテナ１１５５は、たとえば、ケーブルまたはファイバーを介してＵＥ１１１５に接続され得る。これらの構成要素の各々は、１つまたは複数のバス１１３５上で、直接または間接的に、互いと通信していることがある。
【０１２１】
[0139]ＵＥメモリモジュール１１２０はＲＡＭまたはＲＯＭを含み得る。ＵＥメモリモジュール１１２０は、ＵＥプロセッサモジュール１１１０によって実行されたとき、共有無線周波数スペクトル帯域へのアクセスを取得することと、共有無線周波数スペクトル帯域へのアクセスが取得されたという指示を送信すること（指示は、送信の開始シンボルを含むシンボル期間を伝達する）と、示された開始シンボルに従って送信を行うこととを含む、ワイヤレス通信に関係する本明細書で説明される様々な機能をＵＥ１１１５に実行させるように構成された命令を含んでいるコンピュータ可読、コンピュータ実行可能コード１１２５を記憶し得る。代替的に、コード１１２５は、ＵＥプロセッサモジュール１１１０によって直接的に実行可能ではないが、場合によっては、（たとえば、コンパイルされ、実行されたとき）本明細書で説明される機能のうちのいくつかをＵＥ１１５５に実行させるように構成され得る。
【０１２２】
[0140]ＵＥプロセッサモジュール１１１０は、インテリジェントハードウェアデバイス、たとえば、ＣＰＵ、マイクロコントローラ、ＡＳＩＣなどを含み得る。ＵＥプロセッサモジュール１１１０は、（１つまたは複数の）ＵＥトランシーバ１１５０を通して受信された情報を処理し得る。ＵＥプロセッサモジュール１１１０はまた、（１つまたは複数の）ＵＥアンテナ１１５５を通した送信のために（１つまたは複数の）ＵＥトランシーバ１１５０に送られるべき情報を処理し得る。ＵＥプロセッサモジュール１１１０は、単独で、または、ＵＥワイヤレス通信管理モジュール１１６０とともに、専用無線周波数スペクトル帯域または共有無線周波数スペクトル帯域上で通信すること（またはそれの上での通信を管理すること）の様々な態様を扱い得る。専用無線周波数スペクトル帯域は、送信装置がそれのためにアクセスを求めて競合することを必要とされないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１２３】
[0141]（１つまたは複数の）ＵＥトランシーバ１１５０は、パケットを変調し、変調されたパケットを送信のために（１つまたは複数の）ＵＥアンテナ１１５５に与え、（１つまたは複数の）ＵＥアンテナ１１５５から受信されたパケットを復調するように構成されたモデムを含み得る。（１つまたは複数の）ＵＥトランシーバ１１５０は、いくつかの例では、１つまたは複数のＵＥ送信機モジュールおよび１つまたは複数の別個のＵＥ受信機モジュールとして実装され得る。（１つまたは複数の）ＵＥトランシーバモジュールは、図７、図８、または図９を参照しながら説明された受信機７１０、８１０、または９１０あるいは送信機７３０、８３０、または９３０のうちの１つまたは複数の機能を実行するか、または場合によってはそれらの例であり得る。
【０１２４】
[0142]（１つまたは複数の）ＵＥトランシーバ１１５０は、専用無線周波数スペクトル帯域または共有無線周波数スペクトル帯域における通信をサポートし得る。（１つまたは複数の）ＵＥトランシーバ１１５０は、（１つまたは複数の）ＵＥアンテナ１１５５を介して、図１、図２、図５Ａ、図５Ｂ、図６Ａ、または図６Ｂを参照しながら説明された基地局１０５、２０５、５０５、または６０５、あるいは図１、図２、図５Ａ、図５Ｂ、図６Ａ、または図６Ｂを参照しながら説明されたＵＥ１１５、２１５、５１５、または６１５のうちの１つまたは複数など、１つまたは複数の基地局、ＵＥ、または装置と双方向に通信するように構成され得る。ＵＥ１１１５は、たとえば、複数のＵＥアンテナ１１５５（たとえば、アンテナアレイ）を含み得る。
【０１２５】
[0143]ＵＥワイヤレス通信管理モジュール１１６０は、専用無線周波数スペクトル帯域または共有無線周波数スペクトル帯域上でのワイヤレス通信に関係する図１、図２、図３、図４Ａ、図４Ｂ、図５Ａ、図５Ｂ、図６Ａ、図６Ｂ、図７、図８、または図９を参照しながら説明された特徴または機能の一部または全部を実行または制御するように構成され得る。たとえば、ＵＥワイヤレス通信管理モジュール１１６０は、専用無線周波数スペクトル帯域または共有無線周波数スペクトル帯域を使用して、補足ダウンリンクモード（たとえば、認可支援アクセスモード）、キャリアアグリゲーションモード、またはスタンドアロンモードをサポートするように構成され得る。ＵＥワイヤレス通信管理モジュール１１６０は、専用無線周波数スペクトル帯域中でのＬＴＥ／ＬＴＥ−Ａ通信を扱うように構成された、専用ＲＦスペクトル帯域のためのＵＥ  ＬＴＥ／ＬＴＥ−Ａモジュール１１６５と、共有無線周波数スペクトル帯域中でのＬＴＥ／ＬＴＥ−Ａ通信を扱うように構成された、共有ＲＦスペクトル帯域のためのＵＥ  ＬＴＥ／ＬＴＥ−Ａモジュール１１７０とを含み得る。ＵＥワイヤレス通信管理モジュール１１６０、またはそれの部分はプロセッサを含み得、あるいはＵＥワイヤレス通信管理モジュール１１６０の機能の一部または全部は、ＵＥプロセッサモジュール１１１０によって実行されるか、またはＵＥプロセッサモジュール１１１０とともに実行され得る。いくつかの例では、ＵＥワイヤレス通信管理モジュール１１６０は、図７、図８、または図９を参照しながら説明されたワイヤレス通信管理モジュール７２０、８２０、または９２０の一例であり得る。
【０１２６】
[0144]図１２に、本開示の態様による、基地局１２０５とＵＥ１２１５とを含む多入力多出力（ＭＩＭＯ）通信システム１２００のブロック図を示す。ＭＩＭＯ通信システム１２００は、図１、図２、図５Ａ、図５Ｂ、図６Ａ、または図６Ｂに示されているワイヤレス通信システム１００、２００、５００、６００、または６５０の態様を示し得る。基地局１２０５はアンテナ１２３４−ａ〜１２３４−ｘを装備し得、ＵＥ１２１５はアンテナ１２５２−ａ〜１２５２−ｎを装備し得る。ＭＩＭＯ通信システム１２００では、基地局１２０５は、同時に複数の通信リンクを介してデータを送ることが可能であり得る。各通信リンクは「レイヤ」と呼ばれることがあり、通信リンクの「ランク」は、通信のために使用されるレイヤの数を示し得る。たとえば、基地局１２０５が２つの「レイヤ」を送信する２×２ＭＩＭＯ通信システムでは、基地局１２０５とＵＥ１２１５との間の通信リンクのランクは２である。
【０１２７】
[0145]基地局１２０５において、送信プロセッサ１２２０がデータソースからデータを受信し得る。送信プロセッサ１２２０は、データを処理し得る。送信プロセッサ１２２０はまた、制御シンボルおよび／または基準シンボルを生成し得る。送信（ＴＸ）ＭＩＭＯプロセッサ１２３０が、適用可能な場合、データシンボル、制御シンボル、および／または基準シンボルに対して空間処理（たとえば、プリコーディング）を実行し得、出力シンボルストリームを変調器／復調器（ｍｏｄ／ｄｅｍｏｄ）モジュール１２３２−ａ〜１２３２−ｘに与え得る。各変調器／復調器モジュール１２３２は、出力サンプルストリームを取得するために、（たとえば、ＯＦＤＭなどのために）それぞれの出力シンボルストリームを処理し得る。各変調器／復調器モジュール１２３２はさらに、ＤＬ信号を取得するために、出力サンプルストリームを処理（たとえば、アナログへの変換、増幅、フィルタ処理、およびアップコンバート）し得る。一例では、変調器／復調器モジュール１２３２−ａ〜１２３２−ｘからのＤＬ信号は、それぞれアンテナ１２３４−ａ〜１２３４−ｘを介して送信され得る。
【０１２８】
[0146]ＵＥ１２１５において、ＵＥアンテナ１２５２−ａ〜１２５２−ｎは、基地局１２０５からＤＬ信号を受信し得、受信信号をそれぞれ変調器／復調器モジュール１２５４−ａ〜１２５４−ｎに与え得る。各変調器／復調器モジュール１２５４は、入力サンプルを取得するために、それぞれの受信信号を調整（たとえば、フィルタ処理、増幅、ダウンコンバート、およびデジタル化）し得る。各変調器／復調器モジュール１２５４はさらに、受信シンボルを取得するために、（たとえば、ＯＦＤＭなどのために）入力サンプルを処理し得る。ＭＩＭＯ検出器１２５６は、すべての変調器／復調器モジュール１２５４−ａ〜１２５４−ｎから受信シンボルを取得し、適用可能な場合は受信シンボルに対してＭＩＭＯ検出を実行し、検出されたシンボルを与え得る。受信プロセッサ１２５８が、検出されたシンボルを処理（たとえば、復調、デインターリーブ、および復号）し、ＵＥ１２１５のための復号されたデータをデータ出力に与え、復号された制御情報をプロセッサ１２８０、またはメモリ１２８２に与え得る。
【０１２９】
[0147]プロセッサ１２８０は、いくつかの場合には、ワイヤレス通信管理モジュール１２１０のうちの１つまたは複数をインスタンス化するための記憶された命令を実行し得る。ワイヤレス通信管理モジュール１２１０は、図７、図８、図９、または図１０を参照しながら説明されたワイヤレス通信管理モジュール７２０、８２０、９２０、または１０６０の１つまたは複数の態様の一例であり得る。
【０１３０】
[0148]アップリンク（ＵＬ）上で、ＵＥ１２１５において、送信プロセッサ１２６４が、データソースからデータを受信し、処理し得る。送信プロセッサ１２６４はまた、基準信号のための基準シンボルを生成し得る。送信プロセッサ１２６４からのシンボルは、適用可能な場合は送信ＭＩＭＯプロセッサ１２６６によってプリコーディングされ、さらに（たとえば、ＳＣ−ＦＤＭＡなどのために）変調器／復調器モジュール１２５４−ａ〜１２５４−ｎによって処理され、基地局１２０５から受信された送信パラメータに従って基地局１２０５に送信され得る。基地局１２０５において、ＵＥ１２１５からのＵＬ信号は、アンテナ１２３４によって受信され、変調器／復調器モジュール１２３２によって処理され、適用可能な場合はＭＩＭＯ検出器１２３６によって検出され、さらに受信プロセッサ１２３８によって処理され得る。受信プロセッサ１２３８は、復号されたデータをデータ出力とプロセッサ１２４０および／またはメモリ１２４２とに与え得る。
【０１３１】
[0149]ＵＥ１２１５の構成要素は、適用可能な機能の一部または全部をハードウェアで実行するように適応された１つまたは複数のＡＳＩＣを用いて、個々にまたはまとめて実装され得る。言及されたモジュールの各々は、ＭＩＭＯ通信システム１２００の動作に関係する１つまたは複数の機能を実行するための手段であり得る。同様に、基地局１０５−ｃの構成要素は、適用可能な機能の一部または全部をハードウェアで実行するように適応された１つまたは複数のＡＳＩＣを用いて、個々にまたはまとめて実装され得る。言及された構成要素の各々は、ＭＩＭＯ通信システム１２００の動作に関係する１つまたは複数の機能を実行するための手段であり得る。
【０１３２】
[0150]図１３は、本開示の態様による、ワイヤレス通信のための例示的な方法１３００を示すフローチャートである。明快のために、例示的な方法１３００は、図１、図２、図５、図６Ａ、または図１０を参照しながら説明された基地局１０５、２０５、５０５、６０５、または１００５のうちの１つまたは複数の態様、図６Ｂのアクセスポイント６５５または６６５のうちの１つまたは複数の態様、あるいは図７、図８、または図９を参照しながら説明された装置７０５、８０５、または９０５のうちの１つまたは複数の態様に関して、以下で説明される。いくつかの例では、基地局または装置は、以下で説明される機能を実行するように基地局または装置の機能要素を制御するためのコードの１つまたは複数のセットを実行し得る。追加または代替として、基地局または装置は、専用ハードウェアを使用して、以下で説明される機能のうちの１つまたは複数を実行し得る。
【０１３３】
[0151]ブロック１３０５において、例示的な方法１３００は、基地局のアンテナの第１のサブセットを使用して、時間期間中に共有無線周波数スペクトル帯域へのアクセスのための第１のアクセスプロシージャを実行することを含み得る。ブロック１３０５における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１３４】
[0152]ブロック１３１０において、例示的な方法１３００は、第１のサブセットとは異なる基地局のアンテナの第２のサブセットを使用して、時間期間中に共有無線周波数スペクトル帯域へのアクセスのための第２のアクセスプロシージャを実行することを含み得る。ブロック１３１０における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１３５】
[0153]ブロック１３１５において、例示的な方法１３００は、第１のアクセスプロシージャを実行することに少なくとも部分的に基づいて、アンテナの第１のサブセットが共有無線周波数スペクトル帯域にアクセスすることができることを識別することを含み得る。ブロック１３１５における（１つまたは複数の）動作は、たとえば、図７、図８、図９、図１０、または図１２を参照しながら説明されたワイヤレス通信管理モジュール７２０、８２０、９２０、１０６０、または１２１０、図７または図８の共有ＲＦスペクトル帯域アクセスモジュール７４０、または８４０、あるいは図７または図８のアンテナ決定モジュール７４５または７８０のうちのいずれか１つまたは複数を使用して、実行され得る。
【０１３６】
[0154]ブロック１３２０において、例示的な方法１３００は、アンテナの第１のサブセットを使用して共有無線周波数スペクトル帯域にアクセスすることを含み得る。ブロック１３２０における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１３７】
[0155]したがって、例示的な方法１３００はワイヤレス通信を提供し得る。例示的な方法１３００は一実装形態にすぎないこと、および例示的な方法１３００の動作は、他の実装形態が可能であるように、並べ替えられるかまたは場合によっては変更され得ることに留意されたい。
【０１３８】
[0156]図１４は、本開示の態様による、ワイヤレス通信のための例示的な方法１４００を示すフローチャートである。明快のために、例示的な方法１４００は、図１、図２、図５、図６Ａ、または図１０を参照しながら説明された基地局１０５、２０５、５０５、６０５、または１００５のうちの１つまたは複数の態様、図６Ｂのアクセスポイント６５５または６６５のうちの１つまたは複数の態様、あるいは図７、図８、または図９を参照しながら説明された装置７０５、８０５、または９０５のうちの１つまたは複数の態様に関して、以下で説明される。いくつかの例では、基地局または装置は、以下で説明される機能を実行するように基地局または装置の機能要素を制御するためのコードの１つまたは複数のセットを実行し得る。追加または代替として、基地局または装置は、専用ハードウェアを使用して、以下で説明される機能のうちの１つまたは複数を実行し得る。
【０１３９】
[0157]ブロック１４０５において、例示的な方法１４００は、基地局のアンテナの第１のサブセットを使用して、時間期間中に共有無線周波数スペクトル帯域へのアクセスのための第１のアクセスプロシージャを実行することを含み得る。ブロック１４０５における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１４０】
[0158]ブロック１４１０において、例示的な方法１４００は、第１のサブセットとは異なる基地局のアンテナの第２のサブセットを使用して、時間期間中に共有無線周波数スペクトル帯域へのアクセスのための第２のアクセスプロシージャを実行することを含み得る。ブロック１４１０における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１４１】
[0159]ブロック１４１５において、例示的な方法１４００は、アンテナの第１および第２のサブセットが共有無線周波数スペクトル帯域にアクセスすることができることを識別することを含み得る。ブロック１４１５における（１つまたは複数の）動作は、たとえば、図７、図８、図９、図１０、または図１２を参照しながら説明されたワイヤレス通信管理モジュール７２０、８２０、９２０、１０６０、または１２１０、図７または図８の共有ＲＦスペクトル帯域アクセスモジュール７４０、または８４０、あるいは図７または図８のアンテナ決定モジュール７４５または７８０のうちのいずれか１つまたは複数を使用して、実行され得る。
【０１４２】
[0160]ブロック１４２０において、例示的な方法１４００は、アンテナの第１のサブセットとアンテナの第２のサブセットとを使用して、成功したアクセスプロシージャを示すプリアンブルを送信することを含み得る。ブロック１４２０における（１つまたは複数の）動作は、たとえば、図７、図８、図９、図１０、または図１２を参照しながら説明されたワイヤレス通信管理モジュール７２０、８２０、９２０、１０６０、または１２１０、送信機７３０、８３０、９３０、あるいは図８を参照しながら説明されたプリアンブルモジュール８６５のうちのいずれか１つまたは複数を使用して、実行され得る。
【０１４３】
[0161]したがって、例示的な方法１４００はワイヤレス通信を提供し得る。例示的な方法１４００は一実装形態にすぎないこと、および例示的な方法１４００の動作は、他の実装形態が可能であるように、並べ替えられるかまたは場合によっては変更され得ることに留意されたい。
【０１４４】
[0162]図１５は、本開示の態様による、ワイヤレス通信のための例示的な方法１５００を示すフローチャートである。明快のために、例示的な方法１５００は、図１、図２、図５、図６Ａ、または図１０を参照しながら説明された基地局１０５、２０５、５０５、６０５、または１００５のうちの１つまたは複数の態様、図６Ｂのアクセスポイント６５５または６６５のうちの１つまたは複数の態様、あるいは図７、図８、または図９を参照しながら説明された装置７０５、８０５、または９０５のうちの１つまたは複数の態様に関して、以下で説明される。いくつかの例では、基地局または装置は、以下で説明される機能を実行するように基地局または装置の機能要素を制御するためのコードの１つまたは複数のセットを実行し得る。追加または代替として、基地局または装置は、専用ハードウェアを使用して、以下で説明される機能のうちの１つまたは複数を実行し得る。
【０１４５】
[0163]ブロック１５０５において、例示的な方法１５００は、基地局のアンテナの第１のサブセットを使用して、時間期間中に共有無線周波数スペクトル帯域へのアクセスのための第１のアクセスプロシージャを実行することを含み得る。ブロック１５０５における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１４６】
[0164]ブロック１５１０において、例示的な方法１５００は、アンテナの第１のサブセットを使用して共有無線周波数スペクトル帯域にアクセスすることを含み得る。ブロック１５１０における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１４７】
[0165]ブロック１５１５において、例示的な方法１５００は、アンテナの第１のサブセットによってアクセスした後、第２のアクセスプロシージャを実行することに少なくとも部分的に基づいて、アンテナの第２のサブセットが共有無線周波数スペクトル帯域にアクセスすることができることを識別することを含み得る。ブロック１５１５における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１４８】
[0166]ブロック１５２０において、例示的な方法１５００は、アンテナの第１のサブセットがプリアンブルシーケンスを送信していると決定することを含み得る。ブロック１５２０における（１つまたは複数の）動作は、たとえば、図７、図８、図９、図１０、または図１２を参照しながら説明されたワイヤレス通信管理モジュール７２０、８２０、９２０、１０６０、または１２１０、送信機７３０、８３０、９３０、あるいは図８を参照しながら説明されたプリアンブルモジュール８６５のうちのいずれか１つまたは複数を使用して、実行され得る。
【０１４９】
[0167]ブロック１５２５において、例示的な方法１５００は、アンテナの第２のサブセットによってプリアンブルシーケンスの送信に加わることを含み得る。ブロック１５２５における（１つまたは複数の）動作は、たとえば、図７、図８、図９、図１０、または図１２を参照しながら説明されたワイヤレス通信管理モジュール７２０、８２０、９２０、１０６０、または１２１０、送信機７３０、８３０、９３０、あるいは図８を参照しながら説明されたプリアンブルモジュール８６５のうちのいずれか１つまたは複数を使用して、実行され得る。
【０１５０】
[0168]したがって、例示的な方法１５００はワイヤレス通信を提供し得る。例示的な方法１５００は一実装形態にすぎないこと、および例示的な方法１５００の動作は、他の実装形態が可能であるように、並べ替えられるかまたは場合によっては変更され得ることに留意されたい。
【０１５１】
[0169]図１６は、本開示の態様による、ワイヤレス通信のための例示的な方法１６００を示すフローチャートである。明快のために、例示的な方法１６００は、図１、図２、図５、図６Ａ、または図１０を参照しながら説明された基地局１０５、２０５、５０５、６０５、または１００５のうちの１つまたは複数の態様、図６Ｂのアクセスポイント６５５または６６５のうちの１つまたは複数の態様、あるいは図７、図８、または図９を参照しながら説明された装置７０５、８０５、または９０５のうちの１つまたは複数の態様に関して、以下で説明される。いくつかの例では、基地局または装置は、以下で説明される機能を実行するように基地局または装置の機能要素を制御するためのコードの１つまたは複数のセットを実行し得る。追加または代替として、基地局または装置は、専用ハードウェアを使用して、以下で説明される機能のうちの１つまたは複数を実行し得る。
【０１５２】
[0170]ブロック１６０５において、例示的な方法１６００は、２つまたはそれ以上のアンテナを使用して共有無線周波数スペクトル帯域へのアクセスのために第１の空間的方向および第２の空間的方向に沿って指向させられたアクセスプロシージャを実行することを含み得る。ブロック１６０５における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１５３】
[0171]ブロック１６１０において、例示的な方法１６００は、アクセスプロシージャを実行することに少なくとも部分的に基づいて、送信の第１の空間的方向が共有無線周波数スペクトル帯域にアクセスするための利用可能な方向であると決定することを含み得る。ブロック１６１０における（１つまたは複数の）動作は、たとえば、図７、図８、図９、図１０、または図１２を参照しながら説明されたワイヤレス通信管理モジュール７２０、８２０、９２０、１０６０、もしくは１２１０、受信機７１０、８１０、９１０、または送信機７３０、８３０、９３０、あるいは図９を参照しながら説明された空間的方向決定モジュール９５０のうちのいずれか１つまたは複数を使用して、実行され得る。
【０１５４】
[0172]ブロック１６１５において、例示的な方法１６００は、送信の利用可能な方向に沿って送信するために、２つまたはそれ以上のアンテナを使用して共有無線周波数スペクトル帯域にアクセスすることを含み得る。ブロック１６１５における（１つまたは複数の）動作は、たとえば、図７、図８、図９、図１０、または図１２を参照しながら説明されたワイヤレス通信管理モジュール７２０、８２０、９２０、１０６０、または１２１０、受信機７１０、８１０、９１０、あるいは送信機７３０、８３０、９３０のうちのいずれか１つまたは複数を使用して、実行され得る。
【０１５５】
[0173]したがって、例示的な方法１６００はワイヤレス通信を提供し得る。例示的な方法１６００は一実装形態にすぎないこと、および例示的な方法１６００の動作は、他の実装形態が可能であるように、並べ替えられるかまたは場合によっては変更され得ることに留意されたい。
【０１５６】
[0174]いくつかの例では、例示的な方法１３００、１４００、１５００、または１６００のうちの２つまたはそれ以上からの態様が組み合わせられ得る。例示的な方法１３００、１４００、１５００、または１６００は例示的な実装形態にすぎないこと、および例示的な方法１３００、１４００、１５００、または１６００の動作は、他の実装形態が可能であるように、並べ替えられるかまたは場合によっては変更され得ることに留意されたい。
【０１５７】
[0175]本明細書で説明される技法は、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システム、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、米国電気電子技術者協会（ＩＥＥＥ）８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）（登録商標）およびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１５８】
[0176]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０１５９】
[0177]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１６０】
[0178]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１６１】
[0179]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態が、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１６２】
[0180]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用によってアクセスされ得る任意の利用可能な媒体であり得るコンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体または専用コンピュータの範囲内に含まれる。限定ではなく例として、非一時的コンピュータ可読媒体は、ＲＡＭ、ＲＯＭ、電気的消去可能プログラマブル読取り専用メモリ（ＥＥＰＲＯＭ）、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（disc）、光ディスク（disc）、デジタル多用途ディスク（disc）（ＤＶＤ）、フロッピーディスク（disk）およびＢｌｕ−ｒａｙディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１６３】
[0181]本明細書で使用される、「に基づいて」という句は、条件（condition）の閉集合への参照と解釈されないものとする。たとえば、「条件（condition）Ａに基づいて」と説明される例示的なステップは、本開示の範囲から逸脱することなく条件（condition）Ａと条件（condition）Ｂの両方に基づき得る。言い換えれば、本明細書で使用される、「に基づいて」という句は、「に少なくとも部分的に基づいて」という句と同様に解釈されたい。
【０１６４】
[0182]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示される原理および新規の特徴に合致する最も広い範囲を与えられるべきである。
【図１】
0006702981.tif 000002
【図２】
0006702981.tif 000003
【図３】
0006702981.tif 000004
【図４Ａ】
0006702981.tif 000005
【図４Ｂ】
0006702981.tif 000006
【図５Ａ】
0006702981.tif 000007
【図５Ｂ】
0006702981.tif 000008
【図６Ａ】
0006702981.tif 000009
【図６Ｂ】
0006702981.tif 000010
【図７】
0006702981.tif 000011
【図８】
0006702981.tif 000012
【図９】
0006702981.tif 000013
【図１０】
0006702981.tif 000014
【図１１】
0006702981.tif 000015
【図１２】
0006702981.tif 000016
【図１３】
0006702981.tif 000017
【図１４】
0006702981.tif 000018
【図１５】
0006702981.tif 000019
【図１６】
0006702981.tif 000020